(57)【要約】  本明細書において説明されるシステム、方法、および装置は、デュアル無線アクセスを可能にする特徴を含む。一実施形態では、アクセスポイントは、連続測定を介してアクセス端末を指示する。これは、アクセス端末の無線アクセス機能と、ユーザのサービスプリファランスと、測定報告とに基づいて、アクセスポイントによって選択される。補完的な方法では、アクセス端末は、アクセスポイントによって選ばれた連続測定を取得する。別の実施形態では、アクセスポイントは、測定のセットを介してアクセス端末を指示する。これは、アクセス端末の無線アクセス機能と、ユーザのサービスプリファランスとに基づいてアクセスポイントによって選択される。別の実施形態では、アクセス端末は、アクセス端末の無線アクセス機能と、オプション的に、ユーザのサービスプリファランスとに基づいて、その測定のサブセットを取得するために選択する。
2013502188.tif 000002
【特許請求の範囲】
【請求項１】
第１の無線アクセス技術からハンドオーバする方法であって、
第２の周波数帯域で第２の無線アクセス技術を求める要求を受信することであって、前記第２の無線アクセス技術にアクセスすることは、前記第１の無線アクセス技術を受信するためのアクセス端末の機能における変更をもたらすことと、
前記アクセス端末から第１の測定報告を受信することと、
前記第１の測定報告を利用して、前記第１の無線アクセス技術に代わる、第３の周波数帯域での第３の無線アクセス技術を選択することと、
前記第１の無線アクセス技術から前記第２および第３の無線アクセス技術への同時ハンドオーバを開始することと
を備える方法。
【請求項２】
前記アクセス端末に第１の測定要求を送信することを更に備える請求項１に記載の方法。
【請求項３】
前記要求は、前記アクセス端末が前記第２の無線アクセス技術による通信のために望ましいことを示す請求項１に記載の方法。
【請求項４】
前記第２の周波数帯域および前記第３の周波数帯域は、相互関連している周波数内帯域と、相互関連している周波数間帯域とのうちの１つである請求項１に記載の方法。
【請求項５】
前記第１の無線アクセス技術は、ロングタームエボリューション（ＬＴＥ）データサービスを備え、前記第２の無線アクセス技術は、回路交換音声サービスを備え、前記第３のサービスは周波数内データサービスを備える請求項１に記載の方法。
【請求項６】
前記アクセス端末のデュアル無線アクセス機能のインジケータを利用して、前記第２の無線アクセス技術を提供することに関連付けられた前記第１の測定要求を準備することと、
前記アクセス端末によって提供された前記第１の測定報告を利用して、前記第３の無線アクセス技術のための好適な配信(delivery)を選択することと、
前記第１の測定報告を利用して、前記第３の無線アクセス技術を提供することに関連付けられた第２の測定要求を準備することと、
前記第２の測定要求を前記アクセス端末に送信することと、
前記第アクセス端末から第２の測定報告を受信することと
を更に備え、前記第２の測定報告は、少なくとも１つの測定を備える請求項２に記載の方法。
【請求項７】
前記第３の無線アクセス技術の好適な配信は、前記第２のサービスの好適な配信および前記アクセス端末のデュアル無線アクセス機能と互換性がない請求項６に記載の方法。
【請求項８】
複数の周波数帯域を測定するための要求を含むように前記第１の測定要求を準備することであって、前記複数の周波数帯域は、前記第２の無線アクセス技術のための好適な配信と、前記第３の無線アクセス技術のための好適な配信とのための候補を含むことと、
前記アクセス端末によって提供された前記第１の測定報告を利用して、前記第２の無線アクセス技術と前記第３の無線アクセス技術とに対して、それぞれの好適な配信を選択することと
を更に備える請求項２に記載の方法。
【請求項９】
前記複数の周波数帯域は、前記第２のサービスが提供される利用可能な周波数帯域を備える請求項８に記載の方法。
【請求項１０】
前記第１の測定報告は、前記第１の測定要求において測定が要求された、前記複数の周波数帯域のサブセットのための測定を備える請求項８に記載の方法。
【請求項１１】
アクセス端末内のデュアル無線機能を可能にする同時ハンドオフの方法であって、
アクセスポイントから、第１の周波数帯域で第１の無線アクセス技術を用いて通信することと、
第２の周波数帯域で提供された第２の無線アクセス技術を求める要求を送信することであって、前記第２の無線アクセス技術の受信に関与することは、前記第１の無線アクセス技術を受信するための前記アクセス端末の機能と互換性がないことと、
少なくとも１つの測定を取得することと、
前記アクセスポイントに第１の測定報告を送信することであって、前記第１の測定報告は少なくとも１つの測定を備えることと、
前記アクセスポイントからハンドオフ開始メッセージを受信することと
を備える方法。
【請求項１２】
前記アクセス端末に対する第１の測定要求を受信することを更に備える請求項１１に記載の方法。
【請求項１３】
前記要求は、前記アクセス端末が、前記第２の無線アクセス技術の受信に関する提案されたパーティシパント（proposed participant）であることを示す請求項１１に記載の方法。
【請求項１４】
前記第２の周波数帯域および前記第３の周波数帯域は、相互関連している周波数内帯域と、相互関連している周波数間帯域とのうちの１つである請求項１１に記載の方法。
【請求項１５】
前記第１の無線アクセス技術はロングタームエボリューション（ＬＴＥ）データサービスを備え、前記第２のサービスは回路交換音声サービスを備え、前記第３のサービスは高レート・パケットデータサービスを備える請求項１１に記載の方法。
【請求項１６】
前記第１の測定報告を送信することに応答して、前記第３の無線アクセス技術の好適な配信を求める第２の測定要求を受信することと、
前記第２の測定要求に応答して少なくとも１つの測定を取得することと、
前記アクセスポイントに第２の測定報告を送信することと
を備え、前記第２の測定報告は、少なくとも１つの測定を備える請求項１２に記載の方法。
【請求項１７】
前記第３の無線アクセス技術の好適な配信は、前記第２の無線アクセス技術の好適な配信および前記アクセス端末のデュアル無線アクセス機能と互換性がない請求項１６に記載の方法。
【請求項１８】
前記第１の測定要求に応答して少なくとも１つの測定を取得することは、前記第２の周波数帯域のための少なくとも１つの測定と、前記第３の周波数帯域のための少なくとも１つの測定とを取得することを備える請求項１１に記載の方法。
【請求項１９】
前記第１の測定要求に定められた前記周波数帯域のサブセットを選択することと、
前記第１の測定要求に定められた周波数帯域のサブセットのための測定を取得することとを更に備え、前記第１の測定報告は、前記第１の測定要求において測定が要求された前記複数の周波数帯域のサブセットのための測定を備える請求項１２に記載の方法。
【請求項２０】
前記第１の測定要求に定められた周波数のサブセットのための測定を取得することは、単一の周波数帯域の測定を取得することを備える請求項１９に記載の方法。
【請求項２１】
第２の周波数帯域で第２の無線アクセス技術を求める要求を受信し、前記アクセス端末から第1の測定報告を受信するように構成された、受信する手段であって、前記第２の無線アクセス技術にアクセスすることは、前記第１の無線アクセス技術を受信するための前記アクセス端末の機能における変更をもたらす手段と、
前記第１の測定報告を利用して、前記第１の無線アクセス技術に代わる、第３の周波数帯域での第３の無線アクセス技術を選択する手段と、
前記第１の無線アクセス技術から前記第２および第３の無線アクセス技術への同時ハンドオーバを開始する手段と
を備える無線アクセスポイント。
【請求項２２】
前記アクセス端末に第１の測定要求を送信する手段を更に備える請求項２１に記載の無線アクセスポイント。
【請求項２３】
前記要求は、前記アクセス端末が前記第２の無線アクセス技術による通信のために望ましいことを示す請求項２１に記載の無線アクセスポイント。
【請求項２４】
前記第２の周波数帯域および第３の周波数帯域は、相互関連している周波数内帯域と、相互関連している周波数間帯域とのうちの１つである請求項２１に記載の無線アクセスポイント。
【請求項２５】
前記第１の無線アクセス技術は、ロングタームエボリューション（ＬＴＥ）データサービスを備え、前記第２の無線アクセス技術は、回路交換音声サービスを備え、前記第３のサービスは周波数内データサービスを備える請求項２１に記載の無線アクセスポイント。
【請求項２６】
前記アクセス端末のデュアル無線アクセス機能のインジケータを利用して、前記第２の無線アクセス技術を提供することに関連付けられた前記第１の測定要求を準備する手段を更に備え、
前記選択する手段はまた、前記アクセス端末によって提供された前記第１の測定報告を利用して、前記第３の無線アクセス技術のための好適な配信(delivery)を選択するように構成され、
前記準備する手段はまた、前記第１の測定報告を利用して、前記第３の無線アクセス技術を提供することに関連付けられた第２の測定要求を準備するように構成され、
前記送信する手段はまた、前記第２の測定要求を前記アクセス端末に送信するように構成され、
前記受信する手段はまた、前記アクセス端末から第２の測定報告を受信するように構成され、前記第２の測定報告は、少なくとも１つの測定を備える請求項２２に記載の無線アクセスポイント。
【請求項２７】
前記第３の無線アクセス技術の好適な配信は、前記第２のサービスの好適な配信および前記アクセス端末のデュアル無線アクセス機能と互換性がない請求項２６に記載の無線アクセスポイント。
【請求項２８】
複数の周波数帯域を測定するための要求を含むように前記第１の測定要求を準備する手段を更に備え、前記複数の周波数帯域は、前記第２の無線アクセス技術のための好適な配信と、前記第３の無線アクセス技術のための好適な配信とのための候補を含み、
前記選択する手段はまた、前記アクセス端末によって提供された前記第１の測定報告を利用して、前記第２の無線アクセス技術と前記第３の無線アクセス技術とに対して、それぞれの好適な配信を選択するように構成された請求項２２に記載の無線アクセスポイント。
【請求項２９】
前記複数の周波数帯域は、前記第２のサービスが提供される利用可能な周波数帯域を備える請求項２８に記載の無線アクセスポイント。
【請求項３０】
前記第１の測定報告は、前記第１の測定要求において測定が要求された、前記複数の周波数帯域のサブセットのための測定を備える請求項２８に記載の無線アクセスポイント。
【請求項３１】
アクセスポイントから、第１の周波数帯域で第１の無線アクセス技術を用いて通信する手段と、
第２の周波数帯域で提供された第２の無線アクセス技術を求める要求を送信する手段であって、前記第２の無線アクセス技術の受信に関与することは、前記第１の無線アクセス技術を受信するための前記アクセス端末の機能と互換性がない手段と、
少なくとも１つの測定を取得するように構成された、測定する手段と
を備える無線アクセス端末であって、
前記送信する手段はまた、前記アクセスポイントに第１の測定報告を送信するように構成され、前記第１の測定報告は、少なくとも１つの測定を備え、
前記無線アクセス端末は更に、
前記アクセスポイントからハンドオフ開始メッセージを受信する手段を備える無線アクセス端末。
【請求項３２】
前記受信する手段はまた、前記アクセス端末に対する第１の測定要求を受信するように構成された請求項３１に記載の無線アクセス端末。
【請求項３３】
前記要求は、前記アクセス端末が、前記第２の無線アクセス技術の受信に関する提案されたパーティシパントであることを示す請求項３１に記載の無線アクセス端末。
【請求項３４】
前記第２の周波数帯域および第３の周波数帯域は、相互関連している周波数内帯域と、相互関連している周波数間帯域とのうちの１つである請求項３１に記載の無線アクセス端末。
【請求項３５】
前記第１の無線アクセス技術はロングタームエボリューション（ＬＴＥ）データサービスを備え、前記第２のサービスは回路交換音声サービスを備え、前記第３のサービスは高レート・パケットデータサービスを備える請求項３１に記載の無線アクセス端末。
【請求項３６】
前記受信する手段は、前記第１の測定報告を送信することに応答して、前記第３の無線アクセス技術の好適な配信を求める第２の測定要求を受信するように構成され、
前記取得する手段は、前記第２の測定要求に応答して少なくとも１つの測定を取得するように構成され、
前記送信する手段は、前記アクセスポイントに第２の測定報告を送信するように構成され、前記第２の測定報告は、少なくとも１つの測定を備える請求項３２に記載の無線アクセス端末。
【請求項３７】
前記第３の無線アクセス技術の好適な配信は、前記第２の無線アクセス技術の好適な配信および前記アクセス端末のデュアル無線アクセス機能と互換性がない請求項３６に記載の無線アクセス端末。
【請求項３８】
前記第１の測定要求に応答して少なくとも１つの測定を取得することは、前記第２の周波数帯域のための少なくとも１つの測定と、前記第３の周波数帯域のための少なくとも１つの測定とを取得することを備える請求項３１に記載の無線アクセス端末。
【請求項３９】
前記第１の測定要求に定められた前記周波数帯域のサブセットを選択する手段を更に備え、
前記測定する手段はまた、前記第１の測定要求に定められた周波数帯域のサブセットのための測定を取得するように構成され、前記第１の測定報告は、前記第１の測定要求において測定が要求された前記複数の周波数帯域のサブセットのための測定を備える請求項３２に記載の無線アクセス端末。
【請求項４０】
前記第１の測定要求に定められた周波数帯域のサブセットのための測定を取得することは、単一の周波数帯域の測定を取得することを備える請求項３９に記載の無線アクセス端末。
【請求項４１】
コードを実行するように構成されたコントローラと、
コードを記憶する非一時的なコンピュータ読取可能メモリと
を備える無線アクセスポイントであって、前記コードは、前記コントローラによって実行されると、
第２の周波数帯域で第２の無線アクセス技術を求める要求を受信することであって、前記第２の無線アクセス技術にアクセスすることは、前記第１の無線アクセス技術を受信するためのアクセス端末の機能における変更をもたらすことと、
前記アクセス端末から第１の測定報告を受信することと、
前記第１の測定報告を利用して、前記第１の無線アクセス技術に代わる、第３の周波数帯域での第３の無線アクセス技術を選択することと、
前記第１の無線アクセス技術から前記第２および第３の無線アクセス技術への同時ハンドオーバを開始することと
を行うように構成された無線アクセスポイント。
【請求項４２】
前記非一時的なコンピュータ読取可能メモリは、前記コントローラによって実行されると、前記アクセス端末に第１の測定要求を送信することを行うように構成されたコードを更に記憶する請求項４１に記載の無線アクセスポイント。
【請求項４３】
前記要求は、前記アクセス端末が前記第２の無線アクセス技術による通信のために望ましいことを示す請求項４１に記載の無線アクセスポイント。
【請求項４４】
前記第２の周波数帯域および前記第３の周波数帯域は、相互関連している周波数内帯域と、相互関連している周波数間帯域とのうちの１つである請求項４１に記載の無線アクセスポイント。
【請求項４５】
前記第１の無線アクセス技術はロングタームエボリューション（ＬＴＥ）データサービスを備え、前記第２の無線アクセス技術は回路交換音声サービスを備え、前記第３のサービスは周波数内データサービスを備える請求項４１に記載の無線アクセスポイント。
【請求項４６】
前記非一時的なコンピュータ読取可能メモリは、前記コントローラによって実行されると、
前記アクセス端末のデュアル無線アクセス機能のインジケータを利用して、前記第２の無線アクセス技術を提供することに関連付けられた前記第１の測定要求を準備することと、
前記アクセス端末によって提供された前記第１の測定報告を利用して、前記第３の無線アクセス技術のための好適な配信(delivery)を選択することと、
前記第１の測定報告を利用して、前記第３の無線アクセス技術を提供することに関連付けられた第２の測定要求を準備することと、
前記第２の測定要求を前記アクセス端末に送信することと、
前記アクセス端末から第２の測定報告を受信することと
を行うように構成されたコードを更に記憶し、前記第２の測定報告は、少なくとも１つの測定を備える請求項４２に記載の無線アクセスポイント。
【請求項４７】
前記第３の無線アクセス技術の好適な配信は、前記第２のサービスの好適な配信および前記アクセス端末のデュアル無線アクセス機能と互換性がない請求項４６に記載の無線アクセスポイント。
【請求項４８】
前記非一時的なコンピュータ読取可能メモリは、前記コントローラによって実行されると、
複数の周波数帯域を測定するための要求を含むように前記第１の測定要求を準備することであって、前記複数の周波数帯域は、前記第２の無線アクセス技術のための好適な配信と、前記第３の無線アクセス技術のための好適な配信とのための候補を含むことと、
前記アクセス端末によって提供された前記第１の測定報告を利用して、前記第２の無線アクセス技術と前記第３の無線アクセス技術とに対して、それぞれの好適な配信を選択することと
を行うように構成されたコードを更に記憶する請求項４２に記載の無線アクセスポイント。
【請求項４９】
前記複数の周波数帯域は、前記第２のサービスが提供される利用可能な周波数帯域を備える請求項４８に記載の無線アクセスポイント。
【請求項５０】
前記第１の測定報告は、前記第１の測定要求において測定が要求された、前記複数の周波数帯域のサブセットのための測定を備える請求項４８に記載の無線アクセスポイント。
【請求項５１】
コードを実行するように構成されたコントローラと、
コードを記憶する非一時的なコンピュータ読取可能メモリと
を備える無線アクセス端末であって、
前記コードは、前記コントローラによって実行されると、
アクセスポイントから、第１の周波数帯域で第１の無線アクセス技術を用いて通信することと、
第２の周波数帯域で提供された第２の無線アクセス技術を求める要求を送信することであって、前記第２の無線アクセス技術の受信に関与することは、前記第１の無線アクセス技術を受信するための前記アクセス端末の機能と互換性がないことと、
少なくとも１つの測定を取得することと、
前記アクセスポイントに第１の測定報告を送信することであって、前記第１の測定報告は、少なくとも１つの測定を備えることと、
前記アクセスポイントからハンドオフ開始メッセージを受信することと
を行うように構成された無線アクセス端末。
【請求項５２】
前記非一時的なコンピュータ読取可能メモリは更に、前記コントローラによって実行されると、前記アクセス端末に対する第１の測定要求を受信するように構成されたコードを更に記憶する請求項５１に記載の無線アクセス端末。
【請求項５３】
前記要求は、前記第２の無線アクセス技術の受信のための、提案されたパーティシパントであることを示す請求項５１に記載の無線アクセス端末。
【請求項５４】
前記第２の周波数帯域および第３の周波数帯域は、相互関連している周波数内帯域と、相互関連している周波数間帯域とのうちの１つである請求項５１に記載の無線アクセス端末。
【請求項５５】
前記第１の無線アクセス技術は、ロングタームエボリューション（ＬＴＥ）データサービスを備え、前記第２のサービスは回路交換音声サービスを備え、前記第３のサービスは高レート・パケットデータサービスを備える請求項５１に記載の無線アクセス端末。
【請求項５６】
前記非一時的なコンピュータ読取可能メモリは、前記コントローラによって実行されると、
前記第１の測定報告を送信することに応答して、前記第３の無線アクセス技術の好適な配信を求める第２の測定要求を受信することと、
前記第２の測定要求に応答して少なくとも１つの測定を取得することと、
前記アクセスポイントに第２の測定報告を送信することと
を行うように構成されたコードを更に備え、前記第２の測定報告は、少なくとも１つの測定を備える請求項５２に記載の無線アクセス端末。
【請求項５７】
前記第３の無線アクセス技術の好適な配信は、前記第２の無線アクセス技術の好適な配信および前記アクセス端末のデュアル無線アクセス機能と互換性がない請求項５６に記載の無線アクセス端末。
【請求項５８】
前記第１の測定要求に応答して少なくとも１つの測定を取得することは、前記第２の周波数帯域のための少なくとも１つの測定と、前記第３の周波数帯域のための少なくとも１つの測定とを取得することを備える請求項５１に記載の無線アクセス端末。
【請求項５９】
前記非一時的なコンピュータ読取可能メモリは、前記コントローラによって実行されると、
前記第１の測定要求に定められた前記周波数帯域のサブセットを選択することと、
前記第１の測定要求に定められた周波数帯域のサブセットのための測定を取得することと
を行うように構成されたコードを更に備え、前記第１の測定報告は、前記第１の測定要求において測定が要求された前記複数の周波数帯域のサブセットのための測定を備える請求項５２に記載の無線アクセス端末。
【請求項６０】
前記第１の測定要求に定められた周波数帯域のサブセットのための測定を取得することは、単一の周波数帯域の測定を取得することを備える請求項５９に記載の無線アクセス端末。
【請求項６１】
コードを実行するように構成されたコントローラと、
コードを記憶する非一時的なコンピュータ読取可能メモリと
を備えるシステムであって、前記コードは、前記コントローラによって実行されると、
第２の周波数帯域で第２の無線アクセス技術を求める要求を受信することであって、前記第２の無線アクセス技術にアクセスすることは、前記第１の無線アクセス技術を受信するためのアクセス端末の機能における変更をもたらすことと、
前記アクセス端末から第１の測定報告を受信することと、
前記第１の測定報告を利用して、前記第１の無線アクセス技術に代わる、第３の周波数帯域での第３の無線アクセス技術を選択することと、
前記第１の無線アクセス技術から前記第２および第３の無線アクセス技術への同時ハンドオーバを開始することと
を行うように構成されたシステム。
【請求項６２】
コードを実行するように構成されたコントローラと、
コードを記憶する非一時的なコンピュータ読取可能メモリと
を備えるシステムであって、前記コードは前記コントローラによって実行されると、
アクセスポイントから、第１の周波数帯域で第１の無線アクセス技術を用いて通信することと、
第２の周波数帯域で提供された第２の無線アクセス技術を求める要求を送信することとであって、前記第２の無線アクセス技術の受信に関与することは、前記第１の無線アクセス技術を受信するための前記アクセス端末の機能と互換性がないことと、
少なくとも１つの測定を取得することと、
前記アクセスポイントに第１の測定報告を送信することであって、前記第１の測定報告は少なくとも１つの測定を備えることと、
前記アクセスポイントからハンドオフ開始メッセージを受信することと
を実行するように構成されたシステム。
【発明の詳細な説明】
【関連出願】
【０００１】
本願は、２００９年８月１４日に提出され、“METHOD AND APPARATUS FOR RESOURCE SELECTION BASED ON INTER radio access technology MEASUREMENT FOR DUAL RADIO SUPPORTED TERMINALS,”と題された米国特許仮出願６１／２３４２４１に対する優先権を主張する。上記仮出願は、参照によって本明細書に明確に組み込まれる。
【技術分野】
【０００２】
[分野]
本願は無線通信に関し、特に、無線ネットワークリソースの管理を可能にするシステム、方法、およびデバイスに関する。
【背景技術】
【０００３】
[背景]
パケット交換方式（ＰＳ;packet-switched）技術を用いた無線ネットワーク技術が、様々なタイプのデータ通信サービスを提供するために展開されている。高レート無線データサービスに対する需要が、ＰＳ技術への移行を促進している。いくつかのＰＳネットワークは、ロングタームエボシューション（ＬＴＥ;long-term evolution）規格あるいはそれと同様の技術に基づいている。これらは、音声およびデータサービスのための次世代の無線ネットワークとなるべく展開された。しかし、ＰＳネットワークおよびシステムリソースの展開は、かねてから利用可能な回路交換（ＣＳ;circuit-switched）ネットワークにおいて頻繁に、漸次的に生じてきた。その結果、いくつかの無線ネットワークはＰＳおよびＣＳシステムリソースの両方を含む。
【０００４】
一部のユーザは、ＰＳシステムリソースでの音声サービスのサービス品質（ＱｏＳ;quality of service）よりも、ＣＳシステムリソースでの音声サービスのＱｏＳを好む。その結果、いくつかの無線ネットワークキャリアは、ＣＳフォールバック(fallback)として知られるスキームをサポートする。ＣＳフォールバックによって、モバイルデバイスは、ＰＳネットワークにキャンプ(camp)させられている間に、音声サービスのためにＣＳシステムリソースへのアクセスを要求することできる。
【０００５】
いくつかのモバイルデバイスは、デュアル無線トランシーバを含む。これによって、モバイルデバイスは、ＣＳ音声サービスおよびＰＳデータサービスを同時に受信することができる。その結果、モバイルデバイスがＣＳ音声サービスを利用している間に、ＰＳデータサービスが終了あるいは停止される必要がない。しかし、ＬＴＥのＰＳデータサービスとＣＳ音声サービスとの組み合わせは、常にサポートされるわけではない。したがって、モバイルデバイスがＬＴＥネットワークにキャンプさせられている場合、非ＬＴＥデータサービスをＣＳ音声サービスと組み合わせて提供するためには課題が存在する。
【発明の概要】
【０００６】
添付の特許請求の範囲のスコープに含まれるシステム、方法、およびデバイスの様々な実施形態は各々いくつかの態様を有している。これらのうちの何れも、本明細書において説明される望ましい特性に対して単一で責任を負うことはない。添付の特許請求の範囲のスコープを限定することなく、いくつかの際立った特徴が本明細書に説明される。この説明を考慮した後、特に、「発明を実施するための形態」と題されたセクションを読了後、デュアル無線トランシーバのためのリソース選択を可能にし、また、いくつかの実施形態において、モバイルデバイスがＬＴＥネットワークにキャンプさせられている場合に、非ＬＴＥデータサービスをＣＳ音声サービスと組み合わせて提供するために、様々な実施形態の特徴がどのように使用されるのかが理解されるだろう。
【０００７】
本開示の一態様は、第２の周波数帯域で第２の無線アクセス技術（radio access technology)を求める要求を受信することであって、ここにおいて、第２の無線アクセス技術にアクセスすることは、第１の無線アクセス技術を受信するためのアクセス端末の機能における変更をもたらすことと、アクセス端末から第１の測定報告を受信することと、第１の測定報告を利用して、第１の無線アクセス技術に代わる、第３の周波数帯域での第３の無線アクセス技術を選択することと、第１の無線アクセス技術から、第２および第３の無線アクセス技術への同時ハンドオーバ(handover)を開始することとを含む。
【０００８】
本開示の一態様は、アクセスポイントから、第１の周波数帯域で第１の無線アクセス技術を用いて通信することと、第２の周波数帯域で提供された第２の無線アクセス技術を求める要求を送信することであって、ここにおいて、第２の無線アクセス技術の受信に関与することは、第１の無線アクセス技術を受信するためのアクセス端末の機能とは互換性がないことと、少なくとも１つの測定を取得することと、アクセスポイントに第１の測定報告を送信することと、アクセスポイントからハンドオフ開始メッセージを受信することとを含み、ここにおいて、第１の測定報告は少なくとも１つの測定を備える。
【０００９】
本開示の一態様は、受信するための手段を含む無線アクセスポイントであって、前述の受信するための手段は、第２の周波数帯域で第２の無線アクセス技術を求める要求を受信し、アクセス端末から第１の測定報告を受信するように構成され、ここにおいて、第２の無線アクセス技術にアクセスすることは、第１の無線アクセス技術を受信するためのアクセス端末の機能における変更をもたらす。このアクセスポイントは更に、第１の測定報告を利用して、第１の無線アクセス技術に代わる、第３の周波数帯域での第３の無線アクセス技術を選択する手段と、第１の無線アクセス技術から、第２および第３の無線アクセス技術への同時ハンドオーバを開始する手段とを含む。
【００１０】
本開示の一態様は、アクセスポイントから、第１の周波数帯域で第１の無線アクセス技術を用いて通信する手段と、第２の周波数帯域で提供された第２の無線アクセス技術を求める要求を送信する手段とを含む無線アクセス端末であって、ここにおいて、第２の無線アクセス技術の受信に関与することは、第１の無線アクセス技術を受信するためのアクセス端末の機能と互換性がない。このアクセス端末は更に、測定する手段と、アクセスポイントからハンドオフ開始メッセージを受信する手段とを含み、ここにおいて、測定手段は、少なくとも１つの測定を取得するように構成され、前述の送信手段はまた、アクセスポイントに第１の測定報告を送信するように構成され、第１の測定報告は少なくとも１つの測定を備える。
【００１１】
本開示の一態様は、コードを実行するように構成されたコントローラと、コードを記憶する非一時的(non-transitory)なコンピュータ読取可能メモリとを含む無線アクセスポイントであって、前述のコードは、コントローラによって実行されると、第２の周波数帯域で第２の無線アクセス技術を求める要求を受信するように構成され、ここにおいて、第２の無線アクセス技術にアクセスすることは、第１の無線アクセス技術を受信するためのアクセス端末の機能における変更をもたらす。前述のコードは更に、コントローラによって実行されると、アクセス端末から第１の測定報告を受信し、第１の測定報告を利用して、第１の無線アクセス技術に代わる、第３の周波数帯域での第３の無線アクセス技術を選択し、第１の無線アクセス技術から、第２および第３の無線アクセス技術への同時ハンドオーバを開始するように構成される。
【００１２】
本開示の一態様は、コードを実行するように構成されたコントローラと、コードを記憶する非一時的なコンピュータ読取可能メモリを含む無線アクセス端末であって、前述のコードは、コントローラによって実行されると、アクセスポイントから、第１の周波数帯域で第１の無線アクセス技術を用いて通信し、第２の周波数帯域で提供された第２の無線アクセス技術を求める要求を送信するように構成され、ここにおいて、第２の無線アクセス技術の受信に関与することは、第１の無線アクセス技術を受信するためのアクセス端末の機能と互換性がない。このコードは更に、コントローラによって実行されると、少なくとも１つの測定を取得し、第１の測定報告をアクセスポイントに送信し、アクセスポイントからハンドオフ開始メッセージを受信するように構成され、ここにおいて、第１の測定報告は少なくとも１つの測定を備える。
【００１３】
本開示の一態様は、コードを実行するように構成されたコントローラと、コードを記憶する非一時的なコンピュータ読取可能メモリとを含むシステムであって、前述のコードは、コントローラによって実行されると、第２の周波数帯域で第２の無線アクセス技術を求める要求を受信するように構成され、ここにおいて、第２の無線アクセス技術にアクセスすることは、第１の無線アクセス技術を受信するためのアクセス端末の機能における変更をもたらす。このコードは更に、コントローラによって実行されると、アクセス端末から第１の測定報告を受信し、第１の測定報告を利用して、第１の無線アクセス技術に代わる、第３の周波数帯域での第３の無線アクセス技術を選択し、第１の無線アクセス技術から、第２および第３の無線アクセス技術への同時ハンドオーバを開始するように構成される。
【００１４】
本開示の一態様は、コードを実行するように構成されたコントローラと、コードを記憶する非一時的なコンピュータ読取可能メモリとを含むシステムであって、前述のコードは、コントローラによって実行されると、アクセスポイントから、第１の周波数帯域で第１の無線アクセス技術を用いて通信し、第２の周波数帯域で提供された第２の無線アクセス技術を求める要求を送信するように構成され、ここにおいて、第２の無線アクセス技術の受信に関与することは、第１の無線アクセス技術を受信するためのアクセス端末の機能と互換性がない。このコードは更に、コントローラによって実行されると、少なくとも１つの測定を取得し、第１の測定報告をアクセスポイントに送信し、アクセスポイントからハンドオフ開始メッセージを受信するように構成され、ここにおいて、第１の測定報告は少なくとも１つの測定を備える。
【図面の簡単な説明】
【００１５】
【図１】図１は、無線システムの簡略図である。
【図２Ａ】図２Ａは、フェムトノード(femto node)を含む無線システムの簡略図である。
【図２Ｂ】図２Ｂは、マクロセルおよびフェムトセルを含む無線システムにおけるカバレッジエリアを例示する簡略図である。
【図３】図３は、通信構成要素のいくつかのサンプル態様の簡略ブロック図である。
【図４】図４は、無線システムのいくつかのサンプル態様の簡略ブロック図である。
【図５】図５は、本明細書において開示される方法のいくつかの態様に従って、無線システム内での通信を例示するシグナリング図である。
【図６】図６は、リソース選択を可能にする第１の方法を例示するフローチャートである。
【図７】図７は、リソース選択を可能にする第２の方法を例示するフローチャートである。
【図８】図８は、本明細書において開示される方法のいくつかの態様に従って、無線システム内の通信を例示するシグナリング図である。
【図９】図９は、リソース選択を可能にする第３の方法を例示するフローチャートである。
【図１０】図１０は、リソース選択を可能にする第４の方法を例示するフローチャートである。
【図１１】図１１は、本明細書において開示される方法のいくつかの態様に従って、無線システム内の通信を例示するシグナリング図である。
【図１２】図１２は、リソース選択を可能にする第５の方法を例示するフローチャートである。
【図１３】図１３は、リソース選択を可能にする第６の方法を例示するフローチャートである。
【図１４】図１４は、本明細書に教示されるプロビジョニング(provisioning)および／あるいはアクセス管理を提供するように構成された装置のいくつかのサンプル態様の簡略ブロック図である。
【図１５】図１５は、本明細書に教示されるプロビジョニングおよび／あるいはアクセス管理を提供するように構成された装置のいくつかのサンプル態様の簡略ブロック図である。
【図１６】図１６は、本明細書に教示されるプロビジョニングおよび／あるいはアクセス管理を提供するように構成された装置のいくつかのサンプル態様の簡略ブロック図である。
【図１７】図１７は、本明細書に教示されるプロビジョニングおよび／あるいはアクセス管理を提供するように構成された装置のいくつかのサンプル態様の簡略ブロック図である。
【図１８】図１８は、本明細書に教示されるプロビジョニングおよび／あるいはアクセス管理を提供するように構成された装置のいくつかのサンプル態様の簡略ブロック図である。
【図１９】図１９は、本明細書に教示されるプロビジョニングおよび／あるいはアクセス管理を提供するように構成された装置のいくつかのサンプル態様の簡略ブロック図である。
【図２０】図２０は、本明細書に教示されるプロビジョニングおよび／あるいはアクセス管理を提供するように構成された装置のいくつかのサンプル態様の簡略ブロック図である。
【図２１】図２１は、本明細書に教示されるプロビジョニングおよび／あるいはアクセス管理を提供するように構成された装置のいくつかのサンプル態様の簡略ブロック図である。
【図２２】図２２は、本明細書に教示されるプロビジョニングおよび／あるいはアクセス管理を提供するように構成された装置のいくつかのサンプル態様の簡略ブロック図である。
【図２３】図２３は、本明細書に教示されるプロビジョニングおよび／あるいはアクセス管理を提供するように構成された装置のいくつかのサンプル態様の簡略ブロック図である。
【図２４】図２４は、本明細書に教示されるプロビジョニングおよび／あるいはアクセス管理を提供するように構成された装置のいくつかのサンプル態様の簡略ブロック図である。
【００１６】
慣例により、図面に示される様々な特徴は一定の縮尺で描かれていないことがある。したがって、様々な特徴の寸法は、明瞭性のために任意に拡大または縮小されていることがある。さらに、図面のいくつかは、所与のシステム、方法、またはデバイスの構成要素のすべてを示しているわけではない。最後に、明細書および図の全体にわたって同じ特徴を示すために同じ参照番号が使用されうる。
【発明を実施するための形態】
【００１７】
[詳細な説明]
添付の特許請求の範囲のスコープに含まれる実施形態の様々な態様が以下に説明される。本明細書に説明される態様が多種多様な形で実施されることができ、本明細書で説明される任意の特定の構造および／あるいは機能が代表的なものにすぎないことは明らかだろう。本開示に基づいて、本明細書で説明される態様はその他の任意の態様とは独立に実装されることができること、およびこれらの態様のうちの２つ以上を様々な方法で組み合わせることができることを、当業者は諒解するだろう。たとえば、本明細書に説明される態様のうち任意の数を使用して、装置が実現され、または方法が実践されることができる。さらに、本明細書で説明される態様のうち１又は複数に加えて、あるいはそれら以外に、他の構造、機能、または構造および機能を使用して、そのような装置が実現され、またはそのような方法が実践されることができる。
【００１８】
本明細書に説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワークなどのような様々な無線通信ネットワークのために使用されることができる。用語「ネットワーク」および「システム」は、しばしば互いに置換可能なように使用されうる。ＣＤＭＡネットワークは、ユニバーサル地上無線接続（ＵＴＲＡ;Universal Terrestrial Radio Access）やｃｄｍａ２０００などのような無線技術を実現しうる。ＵＴＲＡは、広帯域ＣＤＭＡ（ＷＣＤＭＡ）および低チップレート（ＬＣＲ）を含む。ｃｄｍａ２０００は、ＩＳ−２０００規格、ＩＳ−９５規格、ＩＳ−８５６規格をカバーする。ＴＤＭＡネットワークは、グローバルシステムフォーモバイルコミュニケーション（ＧＳＭ（登録商標））のような無線技術を実現しうる。OFDMAネットワークは、発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）等のような無線技術を実現しうる。ＵＴＲＡおよびＥ−ＵＴＲＡは、ユニバーサルモバイルテレコミュニケーションシステム（ＵＭＴＳ）の一部である。ロングタームエボリューション（ＬＴＥ）は、Ｅ−ＵＴＲＡを使用するＵＭＴＳの最新リリースである。ＵＴＲＡ、Ｅ−ＵＴＲＡ、ＧＳＭ、ＵＭＴＳ、およびＬＴＥは、“第３世代パートナシッププロジェクト”（３ＧＰＰ）と命名された団体からの文書において説明される。同様に、ｃｄｍａ２０００は、“第３世代パートナシッププロジェクト２”（３ＧＰＰ２）と命名された団体からの文書において説明される。これらの様々な無線技術および規格は、当該技術分野において周知である。
【００１９】
図１は、多数のユーザをサポートするように構成され、本明細書における教示が実施されうる無線通信システム１００の簡略図である。システム１００は、例えば、マクロセル１０２Ａ−１０２Ｇのような、複数のセル１０２のための通信を提供する。これらは各々が、対応するアクセスポイント１０４（例えば、アクセスポイント１０４Ａ−１０４Ｇ）によってサービス提供されている。複数のアクセス端末１０６（例えば、アクセス端末１０６Ａ−１０６Ｌ）は、経時的に、システムにわたって様々なロケーションに分散されうる。各アクセス端末１０６は、例えば、アクセス端末１０６がアクティブであるかどうか、また、それがソフトハンドオフ中であるかどうかに応じて、所与の瞬間において順方向リンク（ＦＬ）および／あるいは逆方向リンク（ＲＬ）で１又は複数のアクセスポイント１０４と通信しうる。無線通信システム１００は、広範な地理的領域にわたってサービスを提供しうる。例えば、マクロセル１０２Ａ−１０２Ｇは、人口密度の高い都市近郊においては数ブロックを、あるいは郊外環境においては数マイルをカバーしうる。
【００２０】
図２Ａは、実例的な通信システム２００の簡略図である。ここで、１又は複数のフェムトノードがネットワーク環境内で展開される。特に、システム２００は、（例えば、１又は複数のユーザ住居のような）比較的小規模なネットワーク環境内に設置された複数のフェムトノード２１０（たとえば、フェムトノード２１０Ａおよび２１０Ｂ）を含む。各フェムトノード２１０は、ＤＳＬルータ、ケーブルモデム、無線リンク、またはその他の接続手段（図示せず）を介して、ワイドエリアネットワーク２４０（たとえば、インターネット）およびモバイルオペレータ・コアネットワーク２５０に結合されることができる。以下で説明されるように、各フェムトノード２１０は、関連付けられたアクセス端末２２０（たとえば、アクセス端末２２０Ａ）、および、オプション的に、外来(alien)アクセス端末２２０（たとえば、アクセス端末２２０Ｂ）にサービス提供するように構成されうる。言い換えれば、フェムトノード２１０へのアクセスは制限されることができ、それによって、所与のアクセス端末２２０は、指定された（１又は複数の）（例えば、ホーム）フェムトノード２１０のセットによってサービス提供されることはできるが、指定されていないフェムトノード２１０（たとえば、隣接のフェムトノード２１０）によってはサービス提供されることはできない。
【００２１】
フェムトノード２１０の所有者は、例えば、３Ｇモバイルサービスのような、モバイルオペレータ・コアネットワーク２５０を介して提供されるモバイルサービスに加入することができる。さらに、アクセス端末２２０は、マクロ環境と、より小規模（たとえば、住居）のネットワーク環境との両方で動作することが可能であることができる。言い換えれば、アクセス端末２２０の現在位置に応じて、アクセス端末２２０は、モバイルオペレータ・コアネットワーク２５０に関連付けられたマクロセル・アクセスポイント２６０によって、または、フェムトノード２１０のセット（たとえば、対応するユーザ住居２３０内に常駐するフェムトノード２１０Ａおよび２１０Ｂ）のうちの任意の１つによってサービス提供されることができる。たとえば、加入者が自宅の外にいるとき、この加入者は標準のマクロアクセスポイント（たとえば、アクセスポイント２６０）によってサービス提供され、自宅の中にいるときは、フェムトノード（たとえば、ノード２１０Ａ）によってサービス提供される。ここで、フェムトノード２１０は既存のアクセス端末１０２０に対する下位互換性があることを諒解されたい。
【００２２】
フェムトノード２１０は、単一の周波数上に、または代替として、複数の周波数上に展開されることができる。特定の構成に応じて、単一の周波数、あるいは複数の周波数のうちの１又は複数は、マクロアクセスポイント（たとえば、アクセスポイント２６０）によって使用される１又は複数の周波数と重なることがある。
【００２３】
アクセス端末２２０は、そのような接続性が可能であるときはいつでも、好ましいフェムトノード（例えば、アクセス端末２２０のホームフェムトノード）に接続するように構成されることができる。たとえば、アクセス端末２２０がユーザの住居２３０内にあるときはいつでも、アクセス端末２２０はホームフェムトノード２１０と通信することが好適であるといえる。
【００２４】
図２Ｂは、各々がいくつかのマクロカバレッジエリア３３４を含む、いくつかのトラッキングエリア(tracking area)３３２（あるいは、ルーティングエリア(routing area)またはロケーションエリア(location area)）が定義されるカバレッジマップ３００の例を示した簡略図である。ここで、トラッキングエリア３３２Ａ、３３２Ｂ、および３３２Ｃに関連付けられたカバレッジのエリアは太線によって示され、マクロカバレッジエリア３０４は六角形によって表される。トラッキングエリア３３２はまた、フェムトカバレッジエリア３３６を含む。この例では、フェムトカバレッジエリア３３６の各々（たとえば、フェムトカバレッジエリア３３６Ｃ）は、マクロカバレッジエリア３３４（たとえば、マクロカバレッジエリア３３４Ｂ）内に図示される。しかし、フェムトカバレッジエリア３３６は、完全にマクロカバレッジエリア３０４内にあるわけではないことは諒解されるべきである。実際に、多数のフェムトカバレッエリア３３６が所与のトラッキングエリア３３２またはマクロカバレッジエリア３３４とともに定義されることができる。また、１又は複数のピコカバレッジエリア（図示せず）が所与のトラッキングエリア３３２またはマクロカバレッジエリア３３４内に定義されることができる。
【００２５】
本明細書の教示は、少なくとも１つの他のノードと通信するための様々な構成要素を使用するノード（たとえば、デバイス）に組み込まれることができる。図３は、ノード間の通信を容易にするために用いられることができるいくつかのサンプル構成要素を示す。具体的に言うと、図３は、ＭＩＭＯシステム４００の第１の無線デバイス４１０（たとえば、アクセスポイント）と第２の無線デバイス４５０（たとえば、アクセス端末）との簡略ブロック図である。第１のデバイス４１０では、多数のデータストリームためのトラフィックデータが、データソース４１２から送信（ＴＸ）データプロセッサ４１４に提供される。
【００２６】
いくつかの態様では、各データストリームは、それぞれの送信アンテナを介して送信される。ＴＸデータプロセッサ４１４は、そのデータストリームのために選択された特定の符号化スキームに基づいて、データストリームごとにトラフィックデータをフォーマット、符号化、およびインタリーブして、符号化されたデータを提供する。
【００２７】
各データストリームのための符号化されたデータは、ＯＦＤＭ技法を使用してパイロットデータとともに多重化されることができる。パイロットデータは、一般に、知られているやり方で処理される、知られているデータパターンであり、チャネル応答を推定するために受信機システムで使用されることができる。次いで、各データストリームのための多重化されたパイロットデータと符号化されたデータは、変調シンボルを提供するために、そのデータストリーム用に選択された特定の変調スキーム（たとえば、ＢＰＳＫ、ＱＳＰＫ、Ｍ−ＰＳＫ、またはＭ−ＱＡＭ）に基づいて変調（すなわち、シンボルマッピング;symbol map）される。各データストリームのデータレート、符号化、および変調は、プロセッサ４３０によって実行される命令群によって決定されることができる。データメモリ４３２は、プログラムコードと、データと、デバイス４１０のプロセッサ４３０または他の構成要素によって使用される他の情報とを記憶することができる。
【００２８】
次いで、すべてのデータストリームのための変調シンボルは、（たとえば、ＯＦＤＭの場合に）その変調シンボルをさらに処理しうるＴＸ ＭＩＭＯプロセッサ４２０に提供される。次いで、ＴＸ ＭＩＭＯプロセッサ４２０は、ＮＴ個の変調シンボルストリーム(modulation symbol stream)をＮＴ個のトランシーバ（ＸＣＶＲ）４２２Ａ乃至４２２Ｔに提供する。いくつかの態様では、ＴＸ ＭＩＭＯプロセッサ４２０は、データストリームのシンボルと、シンボルの送信元であるアンテナとにビームフォーミング重みを適用する。
【００２９】
各トランシーバ４２２は、１又は複数のアナログ信号を提供するために、それぞれのシンボルストリームを受信して処理し、さらに、ＭＩＭＯチャネルを介した伝送に適した変調された信号を提供するために、それらのアナログ信号を更に調整（たとえば、増幅、フィルタリング、およびアップコンバート）する。その後、トランシーバ４２２Ａ乃至４２２ＴからのＮＴ個の変調された信号は、それぞれ、ＮＴ個のアンテナ４２４Ａ乃至４２４Ｔから送信される。
【００３０】
第２のデバイス４５０では、送信された変調された信号はＮＲ個のアンテナ４５２Ａ乃至４５２Ｒによって受信され、各アンテナ４５２から受信された信号は、それぞれのトランシーバ（ＸＣＶＲ）４５４Ａ乃至４５４Ｒに提供される。各トランシーバ４５４は、それぞれの受信された信号を調整（たとえば、フィルタリング、増幅、およびダウンコンバート）し、調整された信号をデジタル化してサンプルを提供し、さらに、サンプルを処理して対応する「受信された」シンボルストリームを提供する。
【００３１】
次いで、受信（ＲＸ）データプロセッサ４６０は、特定の受信機処理技法に基づいてＮＲ個のトランシーバ４５４からＮＲ個の受信されたシンボルストリームを受信および処理して、ＮＴ個の「検出された」シンボルストリームを提供する。次いで、ＲＸデータプロセッサ４６０は、データストリームのためのトラフィックデータを復元するために、各検出されたシンボルストリームを復調、デインターリーブ(deinterleave)、および復号する。ＲＸデータプロセッサ４６０による処理は、デバイス４１０におけるＴＸ ＭＩＭＯプロセッサ４２０およびＴＸデータプロセッサ４１４によって実行される処理に対して補完的である。
【００３２】
プロセッサ４７０は、どの事前符号化行列（以下で論じる）を使用すべきかを定期的に判断する。プロセッサ４７０は、行列インデックス部とランク値部とを備える逆方向リンクメッセージを作成する。データメモリ４７２は、プログラムコードと、データと、第２のデバイス４５０のプロセッサ４７０または他の構成要素によって使用される他の情報とを記憶することができる。
【００３３】
逆方向リンクメッセージは、通信リンクおよび／または受信されたデータストリームに関する様々な種類の情報を備えることができる。次いで、逆方向リンクメッセージは、データソース４３６から多数のデータストリームのためのトラフィックデータも受信するＴＸデータプロセッサ４３８によって処理され、変調器４８０によって変調され、トランシーバ４５４Ａ乃至４５４Ｒによって調整され、デバイス４１０に戻される。
【００３４】
デバイス４１０において、第２のデバイス４５０からの変調された信号は、アンテナ４２４によって受信され、トランシーバ４２２によって調整され、復調器（ＤＥＭＯＤ）４４０によって復調され、ＲＸデータプロセッサ４４２によって処理されて、第２のデバイス４５０によって送信された逆方向リンクメッセージが抽出される。そして、プロセッサ４３０は、ビームフォーミング重みを決定するためにどの事前符号化行列を使用すべきかを決定し、次いで、抽出されたメッセージを処理する。
【００３５】
図３はまた、通信構成要素が、本明細書で教示されるアクセス制御動作を実行する１又は複数の構成要素を含むことができることを示す。たとえば、アクセス制御構成要素４９０は、本明細書で教示される別のデバイス（たとえば、デバイス４５０）との間で信号を送信／受信するために、デバイス４１０のプロセッサ４３０および／または他の構成要素と協働することができる。同様に、アクセス制御構成要素４９２は、別のデバイス（たとえば、デバイス４１０）との間で信号を送信／受信するために、デバイス４５０のプロセッサ４７０および／または他の構成要素と協働することができる。各デバイス４１０、４５０について、記載の構成要素の２つ以上の機能が単一の構成要素によって提供されることができることを諒解されたい。たとえば、単一の処理構成要素がアクセス制御構成要素４９０およびプロセッサ４３０の機能を提供し、また、単一の処理構成要素がアクセス制御構成要素４９２およびプロセッサ４７０の機能を提供することができる。
【００３６】
図４は、通信システム５００のいくつかのサンプル態様の簡略ブロック図である。システム５００は、回路交換方式（ＣＳ）ドメイン（あるいはネットワーク）５２０と、高レートパケットデータ（ＨＲＰＤ;high rate packet data）ネットワーク５３０と、ＬＴＥパケット交換方式（ＰＳ）ネットワーク５４０とを含む。システム５００はまた、モバイルデバイスあるいはユーザ機器（ＵＥ）５１０を含む。図４には１つのＵＥ５１０のみが示されているが、ＬＴＥシステムが任意の数のアクセス端末、モバイルデバイス、ＵＥ、およびそれらと同様のものを含むことができることを当業者は諒解するだろう。
【００３７】
当業者はまた、無線ネットワークのＣＳドメインが、図４に示された簡略ＣＳドメイン５２０よりも多くの構成要素を有することができることを諒解するだろう。図４に示されたＣＳドメイン５２０は、特許請求の範囲のスコープに含まれる実施形態のいくつかの際立った特徴を説明するのに有用な構成要素のみを含んでいる。ＣＳドメイン５２０は、１ｘＲＴＴ  ＣＳアクセスノード５２１（これより以下に「基地局５２１」と称される）と、相互作用ソリューションノード（ＩＷＳ;interworking solution node）５２３と、モバイルスイッチングセンター（ＭＳＣ）５２５とを含む。
【００３８】
当業者はまた、ＬＴＥ ＰＳネットワークは、図４に示された簡略ＬＴＥ  ＰＳネットワーク５４０よりも多くの構成要素を有することができることを諒解するだろう。図４に示されたＬＴＥ  ＰＳドメイン５４０は、特許請求の範囲に含まれる実施形態のいくつかの際立った特徴を説明するのに有用な構成要素のみを含む。ＬＴＥ  ＰＳドメイン５４０は、ＬＴＥあるいはそれと同様の技術にしたがって構成された発展型ＵＭＴＳ地上無線アクセスネットワーク（ＥＵＴＲＡＮ;terrestrial radio access network）ノード５４１を含む。ＬＴＥ  ＰＳドメイン５４０はまた、モビリティ管理エンティティ（ＭＭＥ;mobility management entity）５４３およびパケットデータネットワークサービス提供ゲートウェイ（ＳＧＷ）５４５を含む。
【００３９】
ＨＲＰＤネットワークが、図４に示された簡略ＨＲＰＤネットワーク５３０よりも多くの構成要素を有しうることを当業者は諒解するだろう。図４に示されたＨＲＰＤ５３０は、特許請求の範囲に含まれる実施形態のいくつかの際立った特徴を説明するのに有用な構成要素のみを含む。ＨＲＰＤネットワーク５３０は基地局５２１によって提供されるＣＳ音声サービスと共に周波数内(intra-frequency)ＨＲＰＤデータサービスを提供するように構成されたＨＲＰＤアクセスノード（ＡＮ）５３１を含む。ＨＲＰＤネットワーク５３０は、ＨＲＰＤサービス提供ゲートウェイ（ＨＳＧＷ）５３２を含む。ＨＳＷＧ５３２は、ＭＭＥ５４３と通信している。ＨＳＷＧ５３２とＭＭＥ５４３との間の通信リンクは、ＨＲＰＤハンドオーバ／チャネル割当メッセージを交換するために使用される。
【００４０】
ＵＥ５１０がデュアル無線アクセス機能(dual radio access capability)を含んでいる場合、ＵＥ５１０はＣＳ音声サービスおよびＰＳデータサービスの両方を同時に受信することが可能であることができる。少なくとも２つのデュアル無線アクセススキームが存在する。第１のスキームは周波数間(inter-frequency)デュアル無線アクセスとして知られ、第２のスキームは周波数内デュアル無線アクセスとして知られている。周波数間デュアル無線アクセススキームによると、アクセス端末は、各々が他方から離れた周波数帯域上にある、２つの無線通信リンクを確立および維持することが可能である。例えば、ＬＴＥ  ＰＳデータサービスおよびＣＳ音声サービスは一般的に個別の周波数帯域で提供されるので、ＬＴＥ  ＰＳデータサービスおよびＣＳ音声サービスの組み合わせは一般的に周波数間デュアル無線アクセススキームだろう。その一方で、周波数内デュアル無線アクセススキームによると、アクセス端末は、２つの無線通信リンクが同じ周波数帯域にある限り、この２つの無線通信リンクを確立および維持することができる。例えば、ＨＲＰＤ  ＰＳデータサービスおよびＣＳ音声サービスは一般的に同じ周波数帯域で提供されるので、ＨＲＰＤ  ＰＳデータサービスおよびＣＳ音声サービスの組み合わせは一般的に、周波数内デュアル無線アクセススキームだろう。
【００４１】
動作中、ＭＭＥ５４３およびＩＷＳ５２３はＰＳドメイン５４０およびＣＳドメイン５２０間にブリッジをかける。ＬＴＥサービスでは、ＵＥ５１０は、ＥＵＴＲＡＮ５４１を通してＰＳドメイン５４０にアクセスする。ＣＳ音声サービスでは、ＵＥ５１０は基地局５２１を通してＣＳドメイン５２０にアクセスする。ＵＥ５１０が最初にＰＳドメイン５４０に「キャンプさせられて」あるいは「接続されて」いる場合に、ＣＳ音声サービスが要求されると、ＵＥ５１０は、ＥＵＴＲＡＮ５４１から基地局５２１への（すなわち、ＰＳドメイン５４０からＣＳドメイン５２０への）サービスの転送を経験する。
【００４２】
しかし、いくつかのデュアル無線アクセストランシーバ、また、いくつかのネットワークオペレータですら、周波数間デュアル無線アクセスをサポートしておらず、それにより、個別の周波数帯域でＬＴＥ  ＰＳデータサービスおよびＣＳ音声サービスの組み合わせをサポートすることができない。したがって、このようなシナリオにおいて、ＵＥ５１０が、ＣＳ音声サービスのためのリンクと、ＰＳデータサービスのための別のリンクとを同時に維持するものである場合、ＣＳフォールバックが生じると、ＰＳデータサービスはＨＲＰＤネットワーク５３０に転送されなければならないだろう。言い換えると、ＬＴＥネットワーク５４０、また特にＥＵＴＲＡＮ５４１は、少なくとも２つのその他の無線アクセス技術へサービスを同時にハンドオーバするための手順を要求する。図４に示されたシステム５００では、２つの無線アクセス技術は、１ｘＲＴＴおよびＨＲＰＤである。しかし、２つの任意の適切な無線アクセス技術が、添付の請求項の範囲のスコープから逸脱することなく組み合わせて使用されうるということを当業者は諒解するだろう。更に、例えば、１又は複数のユーザによって好まれるタイプのサービスや、１又は複数のユーザによって好まれるサービス品質や、１又は複数のユーザが、プリファランス、ローカルポリシー、ネットワーク規模のポリシー、あるいはデュアル無線アクセスをサポートするための無線アクセス技術を選択するために有用なその他のファクタをどのようにランク付けするか、といったファクタを利用および考慮して、無線アクセス技術を選択することが手順として好適である。
【００４３】
本明細書において説明されるシステム、方法、および装置は、デュアル無線アクセスを可能にする特徴を含む。一実施形態では、アクセスポイントは、連続測定を介してアクセス端末を指示する。これは、アクセス端末の無線アクセス機能と、ユーザのサービスプリファランス（service preference）と、測定報告とに基づいて、アクセスポイントによって選択される。補完的な方法において、アクセス端末は、アクセスポイントによって選ばれた連続測定を取得する。別の実施形態では、アクセスポイントは、測定のセットを介してアクセス端末を指示する。これは、アクセス端末の無線アクセス機能と、ユーザのサービスプリファランスと基づいて、アクセスポイントによって選択される。補完的な方法では、アクセス端末が、アクセスポイントによって選ばれた測定を取得する。別の実施形態では、アクセスポイントは、このアクセスポイントによって選択された測定オブジェクトのサブセットのための有効な測定を受信する。補完的な方法では、アクセス端末は、アクセス端末の無線アクセス機能と、オプション的に、ユーザのサービスプリファランスとに基づいて、どの測定のサブセットを取得するかを選択する。
【００４４】
図５は、図６、７に関して本明細書において開示される方法のいくつかの態様に従って、図４に例示されたシステム５００の構成要素間での通信を示すシグナリング図である。特に、図５は、ＵＥ５１０がＣＳ音声サービスを求める要求を発信したことに応答して、ＬＴＥ  ＰＳネットワーク５４０からＣＳドメイン５２０およびＨＲＰＤネットワーク５３０の両方に同時ハンドオーバすることを容易にするためのシグナリングを図示する。信号５７１によって示されているように、ＵＥ５１０は、ＵＥ５１０がＥＵＴＲＡＮ５４１からＬＴＥ  ＰＳデータサービスを受信することができる、アクティブなＬＴＥ  ＰＳリンクを有する。言い換えると、ＵＥ５１０は、ＬＴＥ  ＰＳネットワーク５４０にキャンプさせられている。
【００４５】
信号５７２によって示されているように、音声呼出は、ＵＥ５１０においてトリガされる。信号５７３によって示されるように、ＵＥ５１０は、ＣＳ音声サービスを求める拡張サービス要求（ＥＳＲ）をＥＵＴＲＡＮ５４１に送る。これは、ＥＵＴＲＡＮ５４１によってＭＭＥ５４３に向けられる。ＭＭＥ５４３は、ＥＵＴＲＡＮ５４１に設定要求メッセージを送ることによって応答する。簡略シグナリング５７４によって示されるように、ＥＵＴＲＡＮ５４１は、第１の測定構成（configuration）メッセージをＵＥ５１０に送る。ＣＳ音声サービスの予め定められた優先順位付けに基づいて、ＥＵＴＲＡＮは、測定ギャップ（一般的に６ｍｓ）の間、基地局５２１によって提供される１ｘ周波数の測定を行うようＵＥ５１０に指示する。一実施形態では、ＥＵＴＲＡＮ５４１は、測定ギャップの間、ＵＥ５１０へのＬＴＥトラフィックを停止する。測定を取得した後、ＵＥ５１０は、第１の測定報告をＥＵＴＲＡＮ５４１に送る。
【００４６】
ＭＭＥ５４３から受信されたＵＥ５１０の無線アクセス機能に基づいて、ＥＵＴＲＡＮ５４１は、第１の無線アクセス技術（例えば、８００ＭＨｚチャネルの１ｘＲＴＴ）とペアにされることができる適切な第２の無線アクセス技術（ＲＡＴ;radio access technology）を選ぶ。信号５７５によって示されるように、ＥＵＴＲＡＮ５４１は、ＵＥ５１０の無線アクセス機能に基づいて、第１の測定構成メッセージに対してペアにされる第２の測定構成メッセージをＵＥ５１０に送る。例えば、ＵＥ５１０が周波数内デュアルアクセス無線(intra-frequency)だけを支援する場合、ＥＵＴＲＡＮ５４１は、８００ＭＨｚ帯域でＨＲＰＤ測定を構成する。すなわち、ＣＳ音声サービスの予め定められた優先順位およびＵＥ５１０の無線アクセス能力に基づいて、ＥＵＴＲＡＮはＨＲＰＤ  ＡＮ５３１によって提供されるＨＲＰＤチャネルの測定を行うようＵＥ５１０に指示する。測定を取得した後、ＵＥ５１０は、第２の測定報告をＥＵＴＲＡＮ５４１に送る。
【００４７】
信号５７６によって示されるように、第２の測定報告を受信することに応答して、ＥＵＴＲＡＮ５４１は、ハンドオーバ（ＨＯ）準備メッセージをＵＥ５１０に送信することによって、同時ハンドオーバ手順を開始する。ＵＥ５１０は、信号５７７、５７８によって示されるように、１ｘ呼出発信メッセージおよびＨＲＰＤ  ＨＯメッセージでそれぞれ応答する。１ｘ呼出発信メッセージは、ＥＵＴＲＡＮ５４１と、ＭＭＥ５４３と、ネットワークのＣＳ部のＩＷＳ５２３とを通ってＭＳＣ５２５にトンネリングされる。ＨＲＰＤ  ＨＯメッセージは、ＥＵＴＲＡＮ５４１およびＭＭＥ５４３を通ってＨＲＰＤ  ＡＮ５３１にトンネリングされる。
【００４８】
信号５７９によって示されるように、ＭＳＣ５２５は、ＵＥ５１０のために１ｘトラフィックチャネル割当を提供する。１ｘトラフィック割当は最初に、ＩＷＳ５２３およびＭＭＥ５４３を通ってＥＵＴＲＡＮ５４１にトンネリングされる。信号５８０によって示されるように、ＨＲＰＤ  ＡＮ５３１は、ＵＥ５１０のためのＨＲＰＤチャネル割当を提供する。１ｘトラフィック割当は最初に、ＭＭＥ５４３を通ってＥＵＴＲＡＮ５４１にトンネリングされる。１ｘトラフィックチャネル割当およびＨＲＰＤチャネル割当の両方を受信すると、信号５８１によって示されるように、ＥＵＴＲＡＮ５４１は、ＨＯコマンドをＵＥ５１０に送る。ＨＯコマンドは、１ｘトラフィックチャネル割当およびＨＲＰＤチャネル割当をＵＥ５１０に提供する。シグナリング５８２によって示されるように、ＵＥ５１０は、割り当てられた１ｘトラフィックチャネルに合わせることによって、基地局５２１を介して、ＣＳドメイン５２０との割り当てられた１ｘトラフィックチャネルを確立して、１ｘＲＴＴトラフィックモードに入る。シグナリング５８３によって示されるように、ＵＥ５１０は、ＨＲＰＤ５３１を介して、ＨＲＰＤネットワーク５３０との割り当てられたＨＲＰＤチャネルを確立する。
【００４９】
図６は、リソース選択を可能にする第１の方法を示すフローチャートである。一実施形態では、少なくとも１つの無線アクセス技術から、少なくとも２つのＲＡＴへの同時ハンドオーバを可能にするための第１の方法がアクセスポイントによって実行される。第１の方法の態様によると、アクセスポイントは、連続測定を介してアクセス端末を指示する。これは、アクセス端末の無線アクセス機能と、ユーザのサービスプリファランスと、測定報告とに基づいて、アクセスポイントによって選択される。図７に関して以下に説明される補完的な方法において、アクセス端末は、アクセスポイントによって選ばれた連続測定を取得する。
【００５０】
ブロック６−１によって表されるように、方法は、アクセス端末（例えば、ＵＥ）とのＬＴＥ  ＰＳデータサービス接続を確立するアクセスポイントを含む。ブロック６−２によって表されるように、方法は、ＬＴＥ  ＰＳデータサービスの利用可能性をアクセス端末に提供することと、ＣＳ音声サービスインタラプト(interrupt)を待つこととを含む。呼出インタラプト（６−２からのＣＩパス）を受信することに応答して、ブロック６−３によって表されるように、方法は、コアネットワーク（例えば、ＭＭＥ）から、アクセス端末の無線アクセス機能を受信することを含む。一実施形態において、無線アクセス機能は、登録手順中にアクセス端末によって報告された後、コアネットワークに記憶される。追加的および／あるいは代替的に、アクセスポイントは、ＬＴＥ  ＰＳデータサービス接続が確立される場合、コアネットワークからアクセス端末の無線アクセス機能を受信しうるか、あるいは、アクセス端末から受信しうる。
【００５１】
ブロック６−４によって表されるように、方法は、第１の好適なＲＡＴを求める第１の測定構成を送信することを含む。例えば、アクセス端末のためのＣＳ音声サービスの予め定められた優先順位付けに基づいて、アクセスポイントは、ネットワークの１ｘＲＴＴ  ＣＳ部によって提供される１ｘ周波数の測定を行うようアクセス端末に指示する。一実施形態では、アクセスポイントは、測定処理中、周期的にアクセス端末へのＬＴＥ  ＰＳトラフィックを停止する。ブロック６−５によって表されるように、方法は、アクセス端末から第１の測定報告を受信することを含む。
【００５２】
ブロック６−６によって表されるように、方法は、アクセス端末の無線アクセス機能に基づいて、第１の無線アクセス技術（例えば、８００ＭＨｚチャネルの１ｘＲＴＴ）とペアにされることができる適切な第２の無線アクセス技術（ＲＡＴ）を選択することを含む。例えば、アクセス端末が周波数内デュアルアクセス無線をサポートするだけの場合、アクセスポイントは、８００ＭＨｚ帯域上でＨＲＰＤ測定を構成する。ブロック６−７によって表されるように、方法は、選択された第２のＲＡＴを求める第２の測定構成要求を送信することを含む。さらに、一実施形態において、アクセスポイントは、測定処理中、周期的にアクセス端末へのＬＴＥ  ＰＳトラフィックを停止する。
【００５３】
ブロック６−８によって表されるように、方法は、アクセス端末から第２の測定報告を受信することを含む。ブロック６−９によって表されるように、方法は、アクセス端末が、第１および第２の測定報告を使用して、同時ハンドオーバ手順を開始することを含む。
【００５４】
図７は、リソース選択を可能にする第２の方法を示すフローチャートである。上述されたように、一実施形態では、アクセス端末（例えば、ＵＥ）がＬＴＥ  ＰＳデータサービスからＣＳ音声サービスおよびＨＲＰＤデータサービスの組み合わせに切り替えようとすることによって、第２の方法が実行される。ブロック７−１によって表されるように、この方法は、アクセスポイントを用いてＬＴＥ  ＰＳデータサービス接続を確立するアクセス端末を含む。ブロック７−２によって表されるように、方法は、アクセスポイントからＬＴＥ  ＰＳデータサービスを受信することと、ＣＳ音声サービスインタラプトを待つこととを含む。ブロック７−３によって表されるように、呼出インタラプト（７−２からのＣＩパス）を受信することに応答して、方法は、第１の好適なＲＡＴを求める第１の測定構成要求を受信することを含む。例えば、アクセス端末のためのＣＳ音声サービスの予め定められた優先順位付けに基づいて、アクセスポイントは、ネットワークの１ｘＲＴＴ  ＣＳ部によって提供される１ｘ周波数の測定を行うようアクセス端末に指示する。一実施形態では、アクセスポイントは、測定手順中、周期的にアクセス端末へのＬＴＥ  ＰＳトラフィックを停止する。ブロック７−４によって表されるように、方法は、第１の測定構成要求に定められている測定オブジェクトのための測定を取得することを含む。ブロック７−５によって表されるように、方法は、第１の測定報告をアクセスポイントに送信することを含む。
【００５５】
ブロック７−６によって表されるように、方法は、第１のＲＡＴを補完するためにアクセスポイントによって選択された、第２の無線アクセス技術を求める第２の測定構成要求を受信することを含む。更に、一実施形態では、アクセスポイントは、測定処理中、周期的にアクセス端末へのＬＴＥ  ＰＳトラフィックを停止する。
【００５６】
ブロック７−７によって表されるように、方法は、第２の測定構成要求に定めされている測定オブジェクトのための測定を取得することを含む。ブロック７−８によって表されているように、方法は、第２の測定報告をアクセスポイントに送信することを含む。ブロック７−９によって表されるように、方法は、同時ハンドオーバ手順を開始するためにハンドオーバ準備メッセージを受信することを含む。
【００５７】
図８は、図９および図１０に関して本明細書において開示される方法のいくつかの態様に従って、図４に示されるシステム５００の構成要素間での通信を示すシグナリング図である。特に、図８は、ＵＥ５１０がＣＳ音声サービスを求める要求を発信したことに応答して、ＬＴＥ  ＰＳネットワーク５４０からＣＳドメイン５２０およびＨＲＰＤネットワーク５３０の両方に同時ハンドオーバすることを容易にするためのシグナリングを図示する。信号８０１によって示されているように、ＵＥ５１０は、ＵＥ５１０がＥＵＴＲＡＮ５４１からＬＴＥ  ＰＳデータサービスを受信することができる、アクティブなＬＴＥ  ＰＳリンクを有する。言い換えると、ＵＥ５１０は、ＬＴＥ  ＰＳネットワーク５４０にキャンプさせられている。
【００５８】
信号８０２によって示されているように、音声呼出がＵＥ５１０においてトリガされる。信号８０３によって示されているように、ＵＥ５１０は、ＣＳ音声サービスを求める拡張サービス要求（ＥＳＲ）をＥＵＴＲＡＮ５４１に送る。これは、ＥＵＴＲＡＮ５４１によってＭＭＥ５４３に向けられる。ＭＭＥ５４３は、設定要求メッセージをＥＵＴＲＡＮ５４１に送ることによって応答する。
【００５９】
ブロック８０４によって示されるように、ＥＵＴＲＡＮ５４１は、同時（すなわち、デュアル無線）伝送のためのＵＥ５１０の無線アクセス機能に基づいて、測定オブジェクトを構成する。しかし、一実施形態では、ＵＥ５１０が周波数間デュアル無線通信だけをサポートする場合でも、ＥＵＴＲＡＮは、ＵＥ５１０が全ての帯域で測定を実行するよう指示されるように、測定オブジェクトを構成する。簡略シグナリンク８０５によって示されるように、ＥＵＴＲＡＮ５４１は、２つ以上のＲＡＴに関連付けられた測定オブジェクトを含む測定構成メッセージをＵＥ５１０に送る。さらに、一実施形態では、ＥＵＴＲＡＮ５４１は、測定処理中、周期的にＵＥ５１０へのＬＴＥトラフィックを停止する。測定を取得した後、ＵＥ５１０はＥＵＴＲＡＮ５４１に測定報告を送る。
【００６０】
信号８０６によって示されるように、測定報告を受信することに応答して、ＥＵＴＲＡＮ５４１は、ＲＡＴの好適な組み合わせを選択し、ＵＥ５１０にハンドオーバ（ＨＯ）準備メッセージを送信することによって、同時ハンドオーバ手順を開始する。信号８０７、８０８によって示されるように、ＵＥ５１０は、１ｘ呼出発信メッセージおよびＨＲＰＤ  ＨＯメッセージでそれぞれ応答する。１ｘ呼出発信メッセージは、ＥＵＴＲＡＮ５４１と、ＭＭＥ５４３と、ネットワークのＣＳ部のＩＷＳ５２３とを通って、ＭＳＣ５２５にトンネリングされる。ＨＲＰＤ  ＨＯメッセージは、ＥＵＴＲＡＮ５４１およびＭＭＥ５４３を通って、ＨＲＰＤ  ＡＮ５３１にトンネリングされる。
【００６１】
信号８０９によって示されるように、ＭＳＣ５２５は、ＵＥ５１０のための１ｘトラフィックチャネル割当を提供する。１ｘトラフィック割当は最初に、ＩＷＳ５２３およびＭＭＥ５４３を通って、ＥＵＴＲＡＮ５４１にトンネリングされる。信号８１０によって示されるように、ＨＲＰＤ  ＡＮ５３１は、ＵＥ５１０のためのＨＲＰＤチャネル割当を提供する。１ｘトラフィック割当は最初に、ＭＭＥ５４３を通ってＥＵＴＲＡＮ５４１にトンネリングされる。１ｘトラフィックチャネル割当およびＨＲＰＤチャネル割当の両方を受信すると、信号８１１によって示されるように、ＥＵＴＲＡＮ５４１はＨＯコマンドをＵＥ５１０に送る。ＨＯコマンドは、１ｘトラフィックチャネル割当およびＨＲＰＤチャネル割当をＵＥ５１０に提供する。シグナリング８１２によって示されるように、ＵＥ５１０は、割り当てられた１ｘトラフィックチャネルに合わせることによって、基地局５２１を介して、ＣＳドメイン５２０との割り当てられた１ｘトラフィックチャネルを確立して、１ｘＲＴＴトラフィックモードに入る。シグナリング８１３によって示されるように、ＵＥ５１０は、ＨＲＰＤ５３１を介して、ＨＲＰＤネットワーク５３０との割り当てられたＨＲＰＤチャネルを確立する。
【００６２】
図９は、リソース選択を可能にする第３の方法を示すフローチャートである。一実施形態では、少なくとも１つの無線アクセス技術から、少なくとも２つのＲＡＴへの同時ハンドオーバを可能にするための第３の方法がアクセスポイントによって実行される。第３の方法の態様によると、アクセスポイントは、測定のセットを介してアクセス端末を指示する。これは、アクセス端末の無線アクセス機能とユーザのサービスプリファランスとに基づいて、アクセスポイントによって選択される。図１０に関して以下に説明される補完的な方法では、アクセス端末は、アクセスポイントによって選ばれた測定を取得する。
【００６３】
ブロック９−１によって表されるように、方法は、アクセスポイントがアクセス端末（例えば、ＵＥ）とのＬＴＥ  ＰＳデータサービス接続を確立することを含む。ブロック９−２によって表されるように、方法は、ＬＴＥ  ＰＳデータサービスの利用可能性をアクセス端末に提供することと、ＣＳ音声サービスインタラプトを待つこととを含む。呼出インタラプト（９−２からのＣｌパス）を受信することに応答して、ブロック９−３によって表されるように、方法は、オプション的に、コアネットワーク（例えば、ＭＭＥ）から、アクセス端末の無線アクセス機能を受信することを含む。追加的および／あるいは代替的に、アクセスポイントは、ＬＴＥ  ＰＳデータサービス接続が確立される場合、コアネットワークからアクセス端末の無線アクセス機能を受信しうる、あるいは、アクセス端末から受信しうる。
【００６４】
ブロック９−４によって表されるように、方法は、同時（すなわち、デュアル無線）伝送のためのアクセス端末の無線アクセス機能に基づいて、測定オブジェクトを構成することを含む。しかし、一実施形態では、アクセス端末が周波数内デュアル無線通信だけをサポートする場合でも、アクセスポイントは、アクセス端末が全ての帯域で測定を実行するよう指示されるように、測定オブジェクトを構成する。
【００６５】
ブロック９−５によって表されるように、方法は測定オブジェクトを含む測定構成要求を送信することを含む。一実施形態では、アクセスポイントが、測定処理中、周期的にアクセス端末へのＬＴＥ  ＰＳトラフィックを停止する。ブロック９−６によって表されるように、方法は、アクセス端末から測定報告を受信することを含む。ブロック９−７によって表されるように、方法は、アクセス端末の無線アクセス機能と、測定報告とに基づいて、第１および第２のＲＡＴの適切な組み合わせを選択することを含む。ブロック９−８によって表されるように、方法は、第１および第２の測定報告を使用して、同時ハンドオーバ手順を開始することを含む。
【００６６】
図１０は、リソース選択を可能にする第４の方法を示すフローチャートである。上述されたように、一実施形態では、アクセス端末が、ＬＴＥ  ＰＳデータサービスからＣＳ音声サービスおよびＨＲＰＤデータサービスの組み合わせに切り替えようとすることによって、第４の方法が実行される。ブロック１０−１によって表されるように、方法は、アクセス端末がアクセスポイントとのＬＴＥ  ＰＳデータサービス接続を確立することを含む。ブロック１０−２によって表されるように、方法は、アクセスポイントからＬＴＥ  ＰＳデータサービスを受信することと、ＣＳ音声サービスインタラプトを待つこととを含む。呼出インタラプト（１０−２からのＣＩパス）を受信することに応答して、ブロック１０−３によって表されるように、方法は、２つ以上の測定オブジェクトを特定する測定構成要求を受信することを含む。ブロック１０−４によって表されるように、方法は、測定構成要求に定められている測定オブジェクトのための測定を取得することを含む。ブロック１０−５によって表されるように、方法は、アクセスポイントに測定報告を送信することを含む。ブロック１０−６によって表されるように、方法は、同時ハンドオーバ手順を開始するためにハンドオーバ準備メッセージを受信することを含む。
【００６７】
図１１は、図１２および図１３に関して、本明細書において開示された方法のいくつかの態様に従って、図４に示されたシステム５００の構成要素間での通信を示すシグナリング図である。特に、図１１は、ＵＥ５１０がＣＳ音声サービスを求める要求を発信したことに応答して、ＬＴＥ  ＰＳネットワーク５４０からＣＳドメイン５２０およびＨＲＰＤネットワーク５３０の両方に同時ハンドオーバすることを容易にするためのシグナリングを図示する。信号１１０１によって示されるように、ＵＥ５１０は、ＵＥ５１０がＥＵＴＲＡＮ５４１からＬＴＥ  ＰＳデータサービスを受信することができるアクティブなＬＴＥ  ＰＳリンクを有する。言い換えると、ＵＥ５１０は、ＬＴＥ  ＰＳネットワーク５４０にキャンプさせられている。
【００６８】
信号１１０２によって示されているように、音声呼出はＵＥ５１０においてトリガされる。信号１１０３によって示されているように、ＵＥ５１０は、ＣＳ音声サービスを求める拡張サービス要求（ＥＳＲ）をＵＥＴＲＡ５４１に送る。これは、ＥＵＴＲＡＮ５４１によって、ＭＭＥ５４３へと向けられる。ＭＭＥ５４３は、設定要求メッセージをＥＵＴＲＡＮ５４１に送ることによって応答する。
【００６９】
ブロック１１０４によって示されているように、ＥＵＴＲＡＮ５４１は、２つ以上のＲＡＴに関連付けられた測定オブジェクトを含む測定構成メッセージをＵＥ５１０に送る。一実施形態において、ＥＵＴＲＡＮ５４１は、同時（すなわち、デュアル無線）伝送のためのＵＥ５１０の無線アクセス機能を、測定オブジェクトを構成するためのものとはみなさない。さらに、一実施形態では、ＥＵＴＲＡＮ５４１は、測定処理中、周期的にＵＥ５１０へのＬＴＥトラフィックを停止する。しかし、簡略シグナリング１１０５によって示されるように、ＵＥ５１０は、同時（すなわち、デュアル無線）伝送のためのＵＥ５１０の無線アクセス機能と、オプション的に、ユーザプリファランスとに基づいて、どの測定オブジェクトについての測定を取得するかを選択する。言い換えると、一実施形態では、ＵＥ５１０は、ＥＵＴＲＡＮ５４１からの指示（direction）を用いることなく、測定を取得するための測定オブジェクトのサブセットを選択する。測定のサブセットを取得した後、ＵＥ５１０は、ＥＵＴＲＡＮ５４１に測定報告を送る。一実施形態では、無視された測定オブジェクトは、ヌルあるいは無効な測定値を有していると報告される。そのため、これらの測定値を有する無線アクセス技術リソースは、ハンドオーバ処理におけるＥＵＴＲＡＮ５４１によって選択されない。
【００７０】
信号１１０６によって示されるように、第２の測定報告を受信することに応答して、ＥＵＴＲＡＮ５４１は、有効に報告された測定からＲＡＴの好適な組み合わせを選択し、ＵＥ５１０にハンドオーバ（ＨＯ）準備メッセージを送信することによって同時ハンドオーバ手順を開始する。信号１１０７、１１０８によって示されるように、ＵＥ５１０は、１ｘ呼出発信メッセージおよびＨＲＰＤ  ＨＯメッセージでそれぞれ応答する。１ｘ呼出発信メッセージは、ＥＵＴＲＡＮ５４１と、ＭＭＥ５４３と、ネットワークのＣＳ部のＩＷＳ５２３とを通って、ＭＳＣ５２５にトンネリングされる。ＨＲＰＤ  ＨＯメッセージは、ＥＵＴＲＡＮ５４１およびＭＭＥ５４３を通って、ＨＲＰＤ  ＡＮ５３１にトンネリングされる。
【００７１】
信号１１０９によって示されるように、ＭＳＣ５２５は、ＵＥ５１０のために１ｘトラフィックチャネル割当を提供する。１ｘトラフィック割当は最初に、ＩＷＳ５２３およびＭＭＥ５４３を通って、ＥＵＴＲＡＮ５４１にトンネリングされる。信号１１１０によって示されるように、ＨＲＰＤ  ＡＮ５３１は、ＵＥ５１０のためにＨＲＰＤチャネル割当を提供する。１ｘトラフィック割当は最初に、ＭＭＥ５４３を通って、ＥＵＴＲＡＮ５４１にトンネリングされる。１ｘトラフィックチャネル割当およびＨＲＰＤチャネル割当の両方を受信すると、信号１１１１によって示されるように、ＥＵＴＲＡＮ５４１は、ＵＥ５１０にＨＯコマンドを送る。ＨＯコマンドは、１ｘトラフィックチャネル割当およびＨＲＰＤチャネル割当をＵＥ５１０に提供する。シグナリング１１１２によって示されるように、ＵＥ５１０は、割り当てられた１ｘトラフィックチャネルに合わせることによって、基地局５２１を介して、ＣＳドメイン５２０との割り当てられた１ｘトラフィックチャネルを確立して、１ｘＲＴＴトラフィックモードに入る。シグナリング１１１３によって示されるように、ＵＥ５１０は、ＨＲＰＤ５３１を介して、ＨＲＰＤネットワーク５３０との割り当てられたＨＲＰＤチャネルを確立する。
【００７２】
図１２は、リソース選択を可能にする第５の方法を示すフローチャートである。一実施形態では、少なくとも１つの無線アクセス技術から少なくとも２つのＲＡＴへの同時ハンドオーバを可能にするための第５の方法が、アクセスポイントによって実行される。第５の方法の態様によると、アクセスポイントは、このアクセスポイントによって選択された測定オブジェクトのサブセットのための有効な測定を受信する。図１３に関連して以下に説明される補完的な方法では、アクセス端末は、アクセス端末の無線アクセス機能と、オプション的に、ユーザのサービスプリファランスとに基づいて、どの測定のサブセットを取得するかを選択する。
【００７３】
ブロック１２−１によって表されているように、方法は、アクセスポイントがアクセス端末とのＬＴＥ  ＰＳデータサービス接続を確立することを含む。ブロック１２−２によって表されているように、方法は、アクセス端末にＬＴＥ  ＰＳデータサービスの利用可能性を提供することと、ＣＳ音声サービスインタラプトを待つこととを含む。呼出インタラプト（１２−１からのＣＩパス）を受信することに応答して、ブロック１２−３によって表されるように、方法は、測定オブジェクトを含む測定構成要求を送信することを含む。一実施形態では、アクセスポイントが、測定処理中、周期的にアクセス端末へのＬＴＥ  ＰＳトラフィックを停止する。ブロック１２−４によって表されるように、方法は、測定構成要求に定められている測定オブジェクトのサブセットのための測定を含む測定報告をアクセス端末から受信することを含む。ブロック１２−５によって表されているように、方法はオプション的に、アクセス端末によって提供されるアクセス端末の無線アクセス機能および測定報告に基づいて、第１および第２のＲＡＴの適切な組み合わせを選択することを含む。一実施形態では、アクセス端末は、第１および第２のＲＡＴの好適な組み合わせのための有効な測定のみを提供し、それにより、アクセスポイントが、第１および第２のＲＡＴに関連して任意の選択を行うことを防ぐ。ブロック１２−６によって表されるように、方法は、同時ハンドオーバ手順を開始するために測定報告を使用することを含む。
【００７４】
図１３は、リソース選択を可能にする第６の方法を示すフローチャートである。上述されたように、一実施形態において、第６の方法は、アクセス端末が、ＬＴＥ  ＰＳデータサービスからＣＳ音声サービスおよびＨＲＰＤデータサービスの組み合わせに切り替えようとすることによって実行される。ブロック１３−１によって表されるように、方法は、アクセス端末がアクセスポイントとのＬＴＥ  ＰＳデータサービス接続を確立することを含む。ブロック１３−２によって表されるように、方法は、アクセスポイントからＬＴＥ  ＰＳデータサービスを受信することと、ＣＳ音声サービスインタラプトを待つこととを含む。呼出インタラプト（１３−２からのＣＩパス）を受信することに応答して、ブロック１３−３によって表されるように、方法は、２つ以上の測定オブジェクトを定める測定構成要求を受信することを含む。ブロック１３−４によって表されるように、方法は、アクセス端末の無線アクセス機能、および／あるいはユーザのサービスプリファランスに基づいて測定オブジェクトのサブセットを選択することを含む。ブロック１３−５によって表されるように、方法は、測定構成要求に定められるように、選択された測定オブジェクトのサブセットのための測定を取得することを含む。ブロック１３−６によって表されるように、方法は、アクセスポイントに測定報告を送信することを含む。１３−７によって表されるように、方法は、同時ハンドオーバ手順を開始するために、ハンドオーバ準備メッセージを受信することを含む。
【００７５】
本明細書における教示は、（例えば、ノードのような）様々な装置に組み込まれることができる（例えば、様々な装置内で実施されることができる、あるいは、様々な装置によって実行されることができる）。いくつかの態様では、本明細書における教示にしたがって実現されるノード（例えば、無線ノード）は、アクセスポイントあるいはアクセス端末を備えることができる。
【００７６】
例えば、アクセス端末は、ユーザ機器、加入者局、加入者ユニット、モバイル局、モバイル、モバイルノード、遠隔局、遠隔端末、ユーザ端末、ユーザエージェント、ユーザデバイス、あるいはその他何らかの用語として実施されるか、知られているか、あるいはそれらを備えうる。いくつかの実施では、アクセス端末は、例えば、セルラ電話、コードレス電話、セッション開始プロトコル（ＳＩＰ）電話、無線ローカルループ（ＷＬＬ）局、携帯情報端末（ＰＤＡ）、無線接続機能を有するハンドヘルドデバイス、あるいは無線モデムに接続されたその他何らかの適切な処理デバイスを備えうる。したがって、本明細書において教示される１又は複数の態様は、例えば、電話（例えば、セルラ電話あるいはスマートフォン）、コンピュータ（例えば、ラップトップ）、ポータブル通信デバイス、ポータブルコンピューティングデバイス（例えば、携帯情報端末）、エンターテイメントデバイス（例えば、ミュージックデバイス、ビデオデバイス、あるいは衛星ラジオ）、全世界測位システムデバイス、あるいは無線媒体によって通信するように構成されたその他任意の適切なデバイスに組み込まれることができる。
【００７７】
アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、ベーストランシーバ局（ＢＴＳ）、トランシーバ機能（ＴＦ）、無線トランシーバ、無線ルータ、基本サービスセット（ＢＳＳ）、拡張サービスセット（ＥＳＳ）、あるいはその他任意の同様の用語として、実施されるか、知られているか、あるいは、それらを備えうる。
【００７８】
いくつかの態様では、ノード（例えば、アクセスポイント）は通信システムのためのアクセスノードを備えうる。このようなアクセスノードは、例えば、ネットワークへの有線あるいは無線通信リンクによって、（例えば、インターネットあるいはセルラネットワークのようなワイドエリアネットワークのような）ネットワークのための接続性又はネットワークへの接続性を提供しうる。したがって、アクセスノードは、別のノード（例えば、アクセス端末）がネットワークあるいはその他何らかの機能にアクセスすることを可能にしうる。それに加えて、これらのノードのうちの一方あるいは両方が、ポータブルでありうる、あるいは、いくつかの場合においては比較的非ポータブルでありうる。
【００７９】
さらに、無線ノードは、非無線方式で（例えば、有線接続によって）情報を送信および／あるいは受信することが可能でありうることが諒解されるべきである。このように、本明細書に説明されるような受信機および送信機は、非無線媒体によって通信するための適切な通信インタフェース構成要素（例えば、電気あるいは光学インタフェース構成要素）を含みうる。
【００８０】
無線ノードは、任意の適切な無線通信技術に基づくか、さもなければそれをサポートする１又は複数の無線通信リンクによって通信しうる。例えば、いくつかの態様において、無線ノードはネットワークに関連付けられうる。いくつかの態様では、ネットワークは、ローカルエリアネットワークあるいはワイドエリアネットワークを備えうる。無線デバイスは、本明細書に説明されるもののような様々な無線通信技術、プロトコル、あるいは、規格（例えば、ＣＤＭＡ、ＴＤＭＡ、ＯＦＤＭ、ＯＦＤＭＡ、ＷｉＭＡＸ、Ｗｉ−Ｆｉなど））のうちの１又は複数を、サポートしうるか、さもなければ使用しうる。同様に、無線ノードは、様々な対応する変調あるいは多重化スキームのうちの１又は複数をサポートしうるか、さもなければ使用しうる。このように、無線ノードは、上述の又はその他の無線通信技術を使用して、１又は複数の無線通信リンクを確立し、それによって通信するための適切な構成要素（例えば、インタフェース）を含みうる。例えば、無線ノードは、無線媒体による通信を容易にする様々な構成要素（例えば、信号発生器および信号プロセッサ）を含みうる関連付けられた送信機および受信機構成要素を有する無線トランシーバを備えうる。
【００８１】
本明細書に説明される構成要素は、様々なやり方で実施されうる。図１４−２４を参照すると、装置１４００、１５００、１６００、１７００、１８００、１９００、２０００、２１００、２２００、２３００、２４００が、一連の相互関連機能ブロックとして表されている。いくつかの態様では、これらのブロックの機能は、１又は複数のプロセッサ構成要素を含む処理システムとして実施されうる。いくつかの態様では、これらのブロックの機能は、例えば、１又は複数の集積回路（例えば、ＡＳＩＣ）のうちの少なくとも一部を使用して実施されうる。本明細書において説明されるように、集積回路は、プロセッサ、ソフトウェア、その他関連する構成要素、あるいはそれらの組み合わせを含みうる。これらのブロックの機能はまた、本明細書において教示されるその他なんらかの方式で実施されうる。いくつかの態様では、図１４乃至図２４における１又は複数の破線ブロックはオプション的なものである。
【００８２】
装置１４００、１５００、１６００、１７００、１８００、１９００、２０００、２１００、２２００、２３００、２４００は、様々な図に関連して上記で説明された機能のうちの１又は複数を実行しうる１又は複数のモジュールを含みうる。例えば、受信／送信手段１４０２は、例えば、本明細書において説明されるような通信コントローラに対応しうる。識別子決定手段１４０４は、例えば、本明細書において説明されるアクセスコントローラに対応しうる。許容（allowed）サービス決定手段１４０６は、例えば、本明細書において説明されるようなアクセスコントローラに対応しうる。受信手段１５０２は、例えば、本明細書において説明されるような通信コントローラに対応しうる。送信手段１５０４は、例えば、本明細書において説明されるようなアクセスコントローラに対応しうる。識別子決定手段１５０６は、例えば、本明細書において説明されるようなアクセスコントローラに対応しうる。送信手段１６０２は、例えば、本明細書において説明されるようなアクセスコントローラに対応しうる。受信手段１６０４は、例えば、本明細書において説明されるような通信コントローラに対応しうる。許容サービス決定手段１６０６は、例えば、本明細書において説明されるようなアクセスコントローラに対応しうる。構成（configuring）手段１７０２は、例えば、本明細書において説明されるようなプロビジョニングコントローラに対応しうる。取得手段１７０４は、例えば、本明細書において説明されるようなアクセスコントローラに対応しうる。受信手段１７０６は、例えば、本明細書において説明されるような通信コントローラに対応しうる。決定手段１７０８は、例えば、本明細書において説明されるようなアクセスコントローラに対応しうる。識別子決定手段１８０２は、例えば、本明細書において説明されるようなプロビジョニングコントローラに対応しうる。送信手段１８０４は、例えば、本明細書において説明されるような通信コントローラに対応しうる。割当手段１８０６は、例えば、本明細書において説明されるようなプロビジョニングコントローラに対応しうる。受信手段１９０２は、例えば、本明細書において説明されるようなプロビジョニングコントローラに対応しうる。送信手段１９０４は、例えば、本明細書において説明されるような通信コントローラに対応しうる。識別子決定手段２００２は、例えば、本明細書において説明されるようなプロビジョニングコントローラに対応しうる。送信手段２００４は、例えば、本明細書において説明されるような通信コントローラに対応しうる。受信手段２１０２は、例えば、本明細書において説明されるような通信コントローラに対応しうる。アクセス使用可能性（enablement）決定手段２１０４は、例えば、本明細書において説明されるようなアクセスコントローラに対応しうる。構成ベース決定手段２１０６は、例えば、本明細書において説明されるようなアクセスコントローラに対応しうる。リスト維持手段２１０８は、例えば、本明細書において説明されるようなアクセスコントローラに対応しうる。構成手段２２０２は、例えば、本明細書において説明されるようなプロビジョニングコントローラに対応しうる。送信手段２２０４は、例え��、本明細書において説明されるような通信コントローラに対応しうる。受信手段２２０６は、例えば、本明細書において説明されるような通信コントローラに対応しうる。送信手段２２０８は、例えば、本明細書において説明されるようなプロビジョニングコントローラに対応しうる。定義手段２２１０は、例えば、本明細書において説明されるようなプロビジョニングコントローラに対応しうる。モニタリング手段２３０２は、例えば、本明細書において説明されるような受信機に対応しうる。ビーコン受信手段２３０４は、例えば、本明細書において説明されるような受信機に対応しうる。送信手段２３０６は、例えば、本明細書において説明されるような通信コントローラに対応しうる。ローミングリスト受信手段２３０８は、例えば、本明細書において説明されるようなプロビジョングコントローラに対応しうる。構成手段２４０２は、例えば、本明細書において説明されるようなプロビジョニングコントローラに対応しうる。ビーコン受信手段２４０４は、例えば、本明細書において説明されるような受信機に対応しうる。送信手段２４０６は、例えば、本明細書において説明されるような通信コントローラに対応しうる。許可（authorization）受信手段２４０８は、例えば、本明細書において説明されるようなアクセスコントローラに対応しうる。プロンプト手段２４１０は、例えば、本明細書において説明されるようなアクセスコントローラに対応しうる。表示手段２４１２は、例えば、本明細書において説明されるようなアクセスコントローラに対応しうる。
【００８３】
「第１」や「第２」などといった指定を使用する本明細書における要素への言及は何れも、一般的にこれらの要素の量又は順序を限定するものではない。むしろ、これらの指定は、２つ以上の要素、あるいは要素のインスタンスを区別する有用な方法として本明細書において使用されうる。このように、第１および第２の要素への言及は、２つの要素だけがそこで用いられうることも、第１の要素が、何らか方式で第２の要素を先行しなければならないことも意味していない。更に、そうでないと述べられない限りは、要素のセットは１又は複数の要素を備えうる。
【００８４】
当業者は、情報および信号が、任意の様々な異なる技法および技術を使用して表されうるということを理解するだろう。例えば、上記の説明を通して参照されうるデータ、命令群、コマンド、情報、信号、ビット、シンボル、およびチップは、電圧、電流、電磁波、磁界あるいは磁気粒子、光学界または光学粒子、あるいはそれら任意の組み合わせによって表わされうる。
【００８５】
本明細書に開示された態様に関連付けて説明された様々な例示的な論理ブロック、モジュール、プロセッサ、手段、回路、およびアルゴリズムステップは、電気ハードウェア（例えば、ソース符号化あるいはその他何らかの技法を使用して設計されうる、デジタル実施、アナログ実施、あるいはそれら２つの組み合わせ）か、（便宜のために、本明細書においては「ソフトウェア」あるいはソフトウェアモジュールと称されうる）命令群を組み込んだ様々な形態のプログラムあるいは設計コードか、あるいはそれら両方の組み合わせとして実施されうるということを当業者は更に理解するだろう。このハードウェアおよびソフトウェアの互換性を明確に例示するために、多様な例示的な構成要素、ブロック、モジュール、回路、およびステップが、一般にそれらの機能の観点から上記で説明されている。そのような機能がハードウェアあるいはソフトウェアのどちらとして実現されるかは、システム全体に課せられている特定のアプリケーションおよび設計の制約に依存する。当業者は、各特定のアプリケーションのために方式を変更させることによって、述べられた機能性を実施しうるが、こういった実施の決定は本開示の範囲からの逸脱をまねくものと解釈されるべきではない。
【００８６】
本明細書において開示された態様に関連付けて説明された多様な例示的な論理ブロック、モジュール、および回路は、集積回路（ＩＣ）、アクセス端末、あるいはアクセスポイントの内部に実施されるか、あるいはそれらによって実行される。このＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）あるいはその他のプログラマブルロジックデバイス、離散ゲートもしくはトランジスタロジック、離散ハードウェア構成要素、電気的構成要素、光学構成要素、機械的構成要素、あるいは本明細書において説明された機能を実行するために設計された、それら任意の組合せを備え、ＩＣの内部か、外部か、あるいはその両方に存在するコード又は命令群を実行しうる。汎用プロセッサは、マイクロプロセッサでありうるが、代替例として、任意の従来型のプロセッサ、コントローラ、マイクロコントローラ、あるいはステートマシンでありうる。例えば、ＤＳＰとマイクロプロセッサの組み合わせ、複数のマイクロプロセッサ、ＤＳＰコアと連結した１又は複数のマイクロプロセッサ、もしくはその他任意のこのような構成のような、コンピューティングデバイスの組み合わせとしてプロセッサが実現されうる。
【００８７】
開示される処理におけるステップの任意の特定の順序あるいは階層は、サンプル・アプローチの例であると理解される。設計プリファランスに基づいて、処理におけるステップの特定の順序あるいは階層は、本開示のスコープ内に留まりながら再構成されうるということが理解される。添付の方法請求項は、サンプル的な順序で様々なステップの要素を示しており、示された特定の順序あるいは階層に限定されることはない。
【００８８】
説明された機能は、ハードウェア、ソフトウェア、ファームウェア、あるいはそれら任意の組み合わせで実現されうる。ソフトウェアにおいて実現される場合、この機能は、１又は複数の命令群あるいはコードとして、コンピュータ読取可能媒体に記憶されうる、もしくはそれによって送信されうる。コンピュータ読取可能媒体は、コンピュータ記憶媒体と、ある場所から別の場所へのコンピュータプログラムの伝達を容易にする任意の媒体を含む通信媒体との両方を含む。記憶媒体は、コンピュータによってアクセスされうる任意の利用可能な媒体でありうる。限定ではなく例として、このようなコンピュータ読取可能媒体は、ＲＡＭや、ＲＯＭや、ＥＥＰＲＯＭや、ＣＤ−ＲＯＭもしくはその他の光学ディスク記憶装置や、磁気ディスク記憶装置もしくはその他の磁気記憶デバイスや、あるいは命令群もしくはデータ構造の形態で所望のプログラムコード手段を搬送あるいは記憶するために使用され、コンピュータによってアクセスされうる、その他任意の媒体を備えうる。更に、任意の接続が、コンピュータ読取可能媒体と適切に称される。例えば、同軸ケーブルや、光ファイバケーブルや、ツイストペアや、デジタル加入者回線（ＤＳＬ;digital subscriber line）や、あるいは、赤外線、無線、及びマイクロ波のような無線技術を使用して、ウェブサイト、サーバ、あるいはその他の遠隔ソースからソフトウェアが送信される場合、同軸ケーブルや、光ファイバケーブルや、ツイストペアや、ＤＳＬや、あるいは赤外線、無線、及びマイクロ波のような無線技術は、媒体の定義に含まれる。本明細書で使用されるようなディスク（ｄｉｓｋ）及びディスク（ｄｉｓｃ）は、コンパクトディスク（ＣＤ）（ｄｉｓｃ）、レーザディスク（ｄｉｓｃ）、光学ディスク、デジタルバーサタイルディスク（ＤＶＤ）（ｄｉｓｋ）、フロッピー（登録商標）ディスク（ｄｉｓｋ）及びブルーレイ（登録商標）ディスク（ｄｉｓｃ）を含む。ここで、ディスク（ｄｉｓｋ）は通常、データを磁気的に再生する一方、ディスク（ｄｉｓｃ）はレーザを用いてデータを光学的に再生する。上記のものによる組合せも、コンピュータ読取可能媒体のスコープ内に含まれるべきである。要するに、コンピュータ読取可能媒体は、任意の適切なコンピュータプログラム製品において実施されうるということが諒解されるべきである。
【００８９】
以上の説明は、当業者が添付の特許請求の範囲のスコープに含まれる実施形態を製造あるいは使用できるように提供される。これらの態様に対する様々な変形例が当業者に対して容易に明らかになるだろう。また、本明細書で規定された一般的原理は、本開示のスコープから逸脱することなく、その他の態様に適用されうる。よって、本開示は、本明細書において示された態様に限定されるように意図されたものではなく、本明細書において開示された原理および新規の特徴と矛盾しない最大範囲であると認められるべきである。
【図１】
2013502188.tif 000003
【図２Ａ】
2013502188.tif 000004
【図２Ｂ】
2013502188.tif 000005
【図３】
2013502188.tif 000006
【図４】
2013502188.tif 000007
【図５】
2013502188.tif 000008
【図６】
2013502188.tif 000009
【図７】
2013502188.tif 000010
【図８】
2013502188.tif 000011
【図９】
2013502188.tif 000012
【図１０】
2013502188.tif 000013
【図１１】
2013502188.tif 000014
【図１２】
2013502188.tif 000015
【図１３】
2013502188.tif 000016
【図１４】
2013502188.tif 000017
【図１５】
2013502188.tif 000018
【図１６】
2013502188.tif 000019
【図１７】
2013502188.tif 000020
【図１８】
2013502188.tif 000021
【図１９】
2013502188.tif 000022
【図２０】
2013502188.tif 000023
【図２１】
2013502188.tif 000024
【図２２】
2013502188.tif 000025
【図２３】
2013502188.tif 000026
【図２４】
2013502188.tif 000027
【国際調査報告】
2013502188.tif 000028
2013502188.tif 000029
2013502188.tif 000030